(57)【特許請求の範囲】
【請求項１】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記第１のデジタルインタフェースで動作する外部機器が接続される場合に差動信号が入力され、上記第２のデジタルインタフェースで動作する外部機器が接続される場合に差動信号が入力されない一対のピンの電圧状態に基づいて、上記コネクタ部に接続されている外部機器のデジタルインタフェースが上記第１のデジタルインタフェースであるか上記第２のデジタルインタフェースであるかを判別する
電子機器。
【請求項２】
上記第１のデジタルインタフェースで動作する外部機器が接続される場合および上記第２のデジタルインタフェースで動作する外部機器が接続される場合のいずれの場合にも差動信号が入力される一対のピンの電圧状態に基づいて、上記コネクタ部にケーブルを介して外部機器が接続されているか否かを判別する接続判別部をさらに備える
請求項１に記載の電子機器。
【請求項３】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記第１のデジタルインタフェースで動作する外部機器が接続される場合に差動信号を出力し、上記第２のデジタルインタフェースで動作する外部機器が接続される場合に差動信号を出力しない一対のピンの電圧状態に基づいて、上記コネクタ部に接続されている外部機器のデジタルインタフェースが上記第１のデジタルインタフェースであるか上記第２のデジタルインタフェースであるかを判別する
電子機器。
【請求項４】
上記第１のデジタルインタフェースで動作する外部機器が接続される場合および上記第２のデジタルインタフェースで動作する外部機器が接続される場合のいずれの場合にも差動信号を出力する一対のピンの電圧状態に基づいて、上記コネクタ部にケーブルを介して外部機器が接続されているか否かを判別する接続判別部をさらに備える
請求項３に記載の電子機器。
【請求項５】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記第１のデジタルインタフェースで動作する外部機器が接続される場合に差動信号が入力され、上記第２のデジタルインタフェースで動作する外部機器が接続される場合に差動信号が入力されない一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンの他方のピンは接地された状態で、上記一方のピンの電圧を、上記所定電圧を上記第１の抵抗および上記第２の抵抗で分圧して得られる電圧よりも高い電圧と比較した結果に基づいて、上記コネクタ部に接続されている外部機器のデジタルインタフェースが上記第１のデジタルインタフェースであるか上記第２のデジタルインタフェースであるかを判別する
電子機器。
【請求項６】
上記第２のデジタルインタフェースで動作する外部機器が接続される場合に上記一対のピンが短絡または上記第１の抵抗を介して接続される状態は、上記外部機器を上記コネクタ部に接続するためのケーブルのプラグ内で行われる
請求項５に記載の電子機器。
【請求項７】
上記コネクタ部へのケーブルの接続を判別する接続判別部をさらに備え、
上記デジタルインタフェース判別部は、上記接続判別部で上記コネクタ部にケーブルが接続されたことが判別された後に、上記コネクタ部に接続されている外部機器のデジタルインタフェースが上記第１のデジタルインタフェースであるか上記第２のデジタルインタフェースであるかを判別する
請求項５に記載の電子機器。
【請求項８】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンが短絡または抵抗を介して接続され、
上記一対のピンの一方のピンは抵抗を介して所定電圧にプルアップされ、
上記一対のピンの他方のピンの電流または電圧の状態を検出する第１の検出部を有し、
上記第１のデジタルインタフェースで動作する外部機器が接続される場合、該外部機器から電源が供給される電源ピンに着目し、
上記電源ピンの電圧状態を検出する第２の検出部をさらに有し、
上記第１の検出部および上記第２の検出部の検出結果に基づいて、上記コネクタ部に接続されている外部機器のデジタルインタフェースが上記第１のデジタルインタフェースであるか上記第２のデジタルインタフェースであるかを判別する
電子機器。
【請求項９】
上記デジタルインタフェース判別部は、
上記第２の検出部で上記電源ピンの電圧状態が上記電源の電圧であることが検出されるとき、
上記コネクタ部に接続されている外部機器のデジタルインタフェースが上記第１のデジタルインタフェースであると判別する
請求項８に記載の電子機器。
【請求項１０】
上記デジタルインタフェース判別部は、
上記第２の検出部で上記電源ピンの電圧状態が上記電源の電圧でないことが検出され、さらに、
上記第１の検出部で上記一対のピンの他方のピンを通して電流が流れていること、あるいは上記一対のピンの他方のピンの電圧が所定電圧にあることが検出されるとき、
上記コネクタ部に接続されている外部機器のデジタルインタフェースが上記第２のデジタルインタフェースであると判別する
請求項８に記載の電子機器。
【請求項１１】
上記デジタルインタフェース判別部で上記コネクタ部に接続されている外部機器のデジタルインタフェースが上記第２のデジタルインタフェースであると判別されるとき、上記電源ピンを介して上記外部機器に電源を供給する電源供給部をさらに備える
請求項８に記載の電子機器。
【請求項１２】
上記第２のデジタルインタフェースで動作する外部機器が接続される場合に上記一対のピンが短絡または抵抗を介して接続される状態は、上記外部機器を上記コネクタ部に接続するためのケーブルのプラグ内で行われる
請求項８に記載の電子機器。
【請求項１３】
上記第１のデジタルインタフェースはＨＤＭＩであり、
上記一対のピンの一方のピンはＳＣＬ用のピンであり、上記一対のピンの他方のピンはＳＤＡ用のピンである
請求項８に記載の電子機器。
【請求項１４】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンの一方のピンおよび他方のピンは、該一方のピンから該他方のピンに一方向に信号を流す電子素子を通じて接続され、
上記一対のピンの上記一方のピンに第１の信号を供給する第１の信号供給部と、
上記一対のピンの上記他方のピンに第２の信号を供給する第２の信号供給部と、
上記第１の信号供給部から上記一対のピンの上記一方のピンに上記第１の信号が供給される期間に、上記一対のピンの上記他方のピンから上記第１の信号を検出する第１の信号検出部と、
上記第２の信号供給部から上記一対のピンの上記他方のピンに上記第２の信号が供給される期間に、上記一対のピンの上記一方のピンから上記第２の信号を検出する第２の信号検出部とを有し、
上記第１の信号検出部および上記第２の信号検出部の検出結果に基づいて、上記コネクタ部に接続されている外部機器のデジタルインタフェースが上記第２のデジタルインタフェースであるか否かを判別する
電子機器。
【請求項１５】
上記デジタルインタフェース判別部は、
上記第１の信号検出部で上記第１の信号が検出され、上記第２の信号検出部で上記第２の信号が検出されないとき、上記コネクタ部に接続されている外部機器のデジタルインタフェースが上記第２のデジタルインタフェースであると判別する
請求項１４に記載の電子機器。
【請求項１６】
上記デジタルインタフェース判別部は、
上記第１のデジタルインタフェースで動作する外部機器が接続される場合、該外部機器から電源が供給される電源ピンに着目し、
上記電源ピンの電圧状態を検出する電圧検出部をさらに有し、
上記電圧検出部で上記電源ピンの電圧状態が上記電源の電圧であることが検出されるとき、
上記コネクタ部に接続されている外部機器のデジタルインタフェースが上記第１のデジタルインタフェースであると判別する
請求項１５に記載の電子機器。
【請求項１７】
上記第１の信号および上記第２の信号はパルス信号である
請求項１４に記載の電子機器。
【請求項１８】
上記第１の信号供給部は、
上記一対のピンの上記一方のピンを所定電圧が供給される端子に接続する第１の抵抗素子と、上記一方のピンを接地端子に接続する第１のスイッチング素子と、該第１のスイッチング素子を駆動するパルス信号を発生する第１のパルス発生器を有し、
上記第２の信号供給部は、
上記一対のピンの上記他方のピンを所定電圧が供給される端子に接続する第２の抵抗素子と、上記他方のピンを接地端子に接続する第２のスイッチング素子と、該第２のスイッチング素子を駆動するパルス信号を発生する第２のパルス発生器を有する
請求項１７に記載の電子機器。
【請求項１９】
上記第１のスイッチング素子および上記第２のスイッチング素子は、電界効果トランジスタである
請求項１８に記載の電子機器。
【請求項２０】
上記デジタルインタフェース判別部で上記コネクタ部に接続されている外部機器のデジタルインタフェースが上記第２のデジタルインタフェースであると判別されるとき、上記電源ピンを介して上記外部機器に電源を供給する電源供給部をさらに備える
請求項１６に記載の電子機器。
【請求項２１】
上記第２のデジタルインタフェースで動作する外部機器が接続される場合に上記一対のピンが上記電子素子を通じて接続される状態は、上記外部機器を上記コネクタ部に接続するためのケーブルのプラグ内で行われる
請求項１４に記載の電子機器。
【請求項２２】
上記第１のデジタルインタフェースはＨＤＭＩであり、
上記一対のピンの一方のピンはＳＣＬ用のピンであり、上記一対のピンの他方のピンはＳＤＡ用のピンである
請求項１４に記載の電子機器。
【請求項２３】
上記電子素子は、ダイオードである
請求項１４に記載の電子機器。
【請求項２４】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器のデジタルインタフェースが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部とをさらに備え、
上記デジタルインタフェース判別部は、
上記所定のピンのうち一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンのうち、いずれかのピンの電圧を、所定の電圧と比較した結果に基づいて、上記コネクタ部に接続されている外部機器のデジタルインタフェースが上記第１のデジタルインタフェースであるか上記第２のデジタルインタフェースであるかを判別する
電子機器。
【請求項２５】
上記いずれかのピンの電圧は、上記第２のデジタルインタフェースで動作する外部機器が接続される場合に、上記所定電圧を上記第１の抵抗および上記第２の抵抗を含む複数の抵抗で分圧して得られる電圧である
請求項２４に記載の電子機器。
【請求項２６】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記第１のデジタルインタフェースで動作する外部機器が接続される場合に差動信号が入力され、上記第２のデジタルインタフェースで動作する外部機器が接続される場合に差動信号が入力されない一対のピンの電圧状態に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【請求項２７】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記第１のデジタルインタフェースで動作する外部機器が接続される場合に差動信号を出力し、上記第２のデジタルインタフェースで動作する外部機器が接続される場合に差動信号を出力しない一対のピンの電圧状態に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【請求項２８】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記第１のデジタルインタフェースで動作する外部機器が接続される場合に差動信号が入力され、上記第２のデジタルインタフェースで動作する外部機器が接続される場合に差動信号が入力されない一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンの他方のピンは接地された状態で、上記一方のピンの電圧を、上記所定電圧を上記第１の抵抗および上記第２の抵抗で分圧して得られる電圧よりも高い電圧と比較した結果に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【請求項２９】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンが短絡または抵抗を介して接続され、
上記一対のピンの一方のピンは抵抗を介して所定電圧にプルアップされ、
上記一対のピンの他方のピンの電流または電圧の状態を検出する第１の検出ステップと、
上記第１のデジタルインタフェースで動作する外部機器が接続される場合、該外部機器から電源が供給される電源ピンに着目し、
上記電源ピンの電圧状態を検出する第２の検出ステップをさらに有し、
上記第１の検出ステップおよび上記第２の検出ステップの検出結果に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【請求項３０】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記第１のデジタルインタフェースで動作する外部機器が接続される場合に使用され、上記第２のデジタルインタフェースで動作する外部機器が接続される場合に使用されない一対のピンに着目し、
上記第２のデジタルインタフェースで動作する外部機器が接続される場合に、上記一対のピンの一方のピンおよび他方のピンは、該一方のピンから該他方のピンに一方向に信号を流す電子素子を通じて接続され、
上記一対のピンの上記一方のピンに第１の信号が供給される期間に、上記一対のピンの上記他方のピンから上記第１の信号を検出する第１の信号検出ステップと、
上記一対のピンの上記他方のピンに第２の信号が供給される期間に、上記一対のピンの上記一方のピンから上記第２の信号を検出する第２の信号検出ステップとを有し、
上記第１の信号検出ステップおよび上記第２の信号検出ステップの検出結果に基づいて、上記コネクタ部に接続されている外部機器のデジタルインタフェースが上記第２のデジタルインタフェースであるか否かを判別する
接続外部機器のデジタルインタフェース判別方法。
【請求項３１】
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用される電子機器における接続外部機器の伝送モード判別方法であって、
上記複数のピンのうち、上記第２のデジタルインタフェースで動作する外部機器が上記コネクタ部に接続されるときには使用されない所定のピンの電圧状態または電流状態に基づいて、上記コネクタ部に接続されている外部機器のデジタルインタフェースが上記第１のデジタルインタフェースであるか上記第２のデジタルインタフェースであるかを判別する判別ステップを有し、
上記判別ステップでは、
上記所定のピンのうち一対のピンに着目し、
上記第２のデジタルインタフェースで動作する外部機器が接続される場合に上記一対のピンが短絡または第１の抵抗を介して接続され、上記一対のピンの一方のピンは第２の抵抗を介して所定電圧にプルアップされ、上記一対のピンのうち、いずれかのピンの電圧を、所定の電圧と比較した結果に基づいて、上記コネクタ部に接続されている外部機器のデジタルインタフェースが上記第１のデジタルインタフェースであるか上記第２のデジタルインタフェースであるかを判別する
接続外部機器のデジタルインタフェース判別方法。
【発明の詳細な説明】
【技術分野】
【０００１】
この発明は、電子機器および接続外部機器のデジタルインタフェース判別方法に関し、特に、接続外部機器のデジタルインタフェースを判別してデータ伝送部の動作を制御する電子機器等に関する。
【背景技術】
【０００２】
近年、例えば、ソース機器からシンク機器に画像および音声のデータを高速に伝送する通信インタフェースとして、ＨＤＭＩ(High Definition Multimedia Interface)等のインタフェースが普及しつつある。ソース機器は、例えば、ゲーム機、ＤＶＤ(Digital Versatile Disc)レコーダや、セットトップボックス、その他のＡＶソース（Audio Visual source）である。シンク機器は、例えば、テレビ受信機、プロジェクタ、その他のディスプレイである。例えば、非特許文献１には、ＨＤＭＩ規格の詳細についての記載がある。
【先行技術文献】
【非特許文献】
【０００３】
【非特許文献１】High-Definition Multimedia Interface Specification Version 1.4,June5 2009
【発明の概要】
【発明が解決しようとする課題】
【０００４】
ＨＤＭＩ規格は、主に固定機器間の接続を想定している。そのため、コネクタのピン数も１９ピンと多く、コネクタ外形寸法も大きく、携帯機器にとっては不利である。そこで、少ないピン数でコネクタを小型化し、さらにＨＤＭＩと同等のベースバンドビデオ伝送を行う規格が検討され始めている。
【０００５】
一方、テレビ受信機等のシンク機器にとっては、新規格のコネクタを追加することは、ユーザの利便性を損なうし、またスペース面、コスト面から不利である。広く普及したデジタルＡ／Ｖ入力ポートであるＨＤＭＩレセプタクルを新規格でも兼用できれば都合がよい。つまり、従来のＨＤＭＩレセプタクルを兼用し、回路のみで対応したいという要望がある。
【０００６】
この発明の目的は、接続外部機器のデジタルインタフェースを判別し、データ伝送部の動作を接続外部機器のデジタルインタフェースに合うように切換可能とすることにある。
【課題を解決するための手段】
【０００７】
この発明の概念は、
複数のピンを有するコネクタ部を備え、
第１のデジタルインタフェースで動作する外部機器が上記コネクタ部に接続されるときには上記複数のピンのうち第１の数のピンが使用され、第２のデジタルインタフェースで動作する外部機器が接続されるときには上記複数のピンのうち上記第１の数より少ない第２の数のピンが使用され、
上記複数のピンのうち、上記第２のデジタルインタフェースで動作する外部機器が上記コネクタ部に接続されるときには使用されない所定のピンの電圧または電流の状態に基づいて、上記コネクタ部に接続されている外部機器の伝送モードが上記第１のデジタルインタフェースであるか上記第２のデジタルインタフェースであるかを判別するデジタルインタフェース判別部と、
上記コネクタ部に接続されるデータ伝送部が、上記デジタルインタフェース判別部で判別されたデジタルインタフェースで動作するように切換制御する制御部と、をさらに備える
電子機器にある。
【０００８】
この発明において、電子機器は複数のピンを有するコネクタ部（レセプタクル）を備えている。第１のデジタルインタフェースで動作する外部機器がコネクタ部に接続されるときには、複数のピンのうち第１の数のピンが使用される。また、第２のデジタルインタフェースで動作する外部機器が接続されるときには、複数のピンのうち第１の数より少ない第２の数のピンが使用される。例えば、コネクタ部がＨＤＭＩレセプタクルである場合、ピン数は１９ピンである。
【０００９】
例えば、第１のデジタルインタフェースがＨＤＭＩであって、このＨＤＭＩで動作する外部機器が接続される場合には、１９ピンの全てが使用される。例えば、第２のデジタルインタフェースは、ＨＤＭＩに対して、ＴＭＤＳクロックの周波数を上げて、ＴＭＤＳチャネル数を少なくする等した新規格のデジタルインタフェースである。この第２のデジタルインタフェースで動作する外部機器が接続されるとき、例えば、ＨＤＭＩレセプタクルの１９ピンのうち、使用されないピンがでてくる。
【００１０】
デジタルインタフェース判別部により、コネクタ部に接続されている外部機器のデジタルインタフェースが第１のデジタルインタフェースであるか第２のデジタルインタフェースであるか判別される。この場合、コネクタ部の複数のピンのうち、第２のデジタルインタフェースが接続されるときには使用されない所定のピンの電圧または電流の状態に基づいて、判別される。
【００１１】
そして、動作制御部により、コネクタ部に接続されるデータ伝送部が、デジタルインタフェース判別部で判別されたデジタルインタフェースで動作するように切換制御される。すなわち、コネクタ部に接続されている外部機器のデジタルインタフェースが第１のデジタルインタフェースであるとき、データ伝送部の動作は第１のデジタルインタフェースに合うようにされる。一方、コネクタ部に接続されている外部機器のデジタルインタフェースが第２のデジタルインタフェースであるとき、データ伝送部の動作は第２のデジタルインタフェースに合うようにされる。
【００１２】
この発明においては、接続外部機器のデジタルインタフェースがデジタルインタフェース判別部で判別され、データ伝送部の動作が接続外部機器のデジタルインタフェースに合うように切り換えられる。そのため、第１のデジタルインタフェースで動作する外部機器を接続するためのコネクタ部と、第２のデジタルインタフェースで動作する外部機器を接続するためのコネクタ部を兼用でき、コスト面、スペース面で有利となる。
【００１３】
この発明において、例えば、デジタルインタフェース判別部は、第１のデジタルインタフェースで動作する外部機器が接続される場合に差動信号が入力され、第２のデジタルインタフェースで動作する外部機器が接続される場合に差動信号が入力されない一対のピンの電圧状態に基づいて、コネクタ部に接続されている外部機器のデジタルインタフェースを判別する、ようにされる。この場合、シンク機器側で、ソース機器のデジタルインタフェースを判別できる。
【００１４】
ここで、例えば、第１のデジタルインタフェースで動作する外部機器が接続される場合および第２のデジタルインタフェースで動作する外部機器が接続される場合のいずれの場合にも差動信号が入力される一対のピンの電圧状態に基づいて、コネクタ部にケーブルを介して外部機器が接続されているか否かを判別する接続判別部をさらに備える、ようにされてもよい。
【００１５】
また、この発明において、例えば、デジタルインタフェース判別部は、第１のデジタルインタフェースで動作する外部機器が接続される場合に差動信号を出力し、第２のデジタルインタフェースで動作する外部機器が接続される場合に差動信号を出力しない一対のピンの電圧状態に基づいて、コネクタ部に接続されている外部機器のデジタルインタフェースが第１のデジタルインタフェースであるか第２のデジタルインタフェースであるかを判別する、ようにされる。この場合、ソース機器側で、シンク機器のデジタルインタフェースを判別できる。
【００１６】
ここで、例えば、第１のデジタルインタフェースで動作する外部機器が接続される場合および第２のデジタルインタフェースで動作する外部機器が接続される場合のいずれの場合にも差動信号を出力する一対のピンの電圧状態に基づいて、コネクタ部にケーブルを介して外部機器が接続されているか否かを判別する接続判別部をさらに備える、ようにされてもよい。
【００１７】
また、この発明において、例えば、デジタルインタフェース判別部は、第１のデジタルインタフェースで動作する外部機器が接続される場合に、この外部機器から電源が供給されるピンとこのピンにダイオードおよび抵抗を介して接続されているピンの電圧状態に基づいて、コネクタ部に接続されている外部機器のデジタルインタフェースが第１のデジタルインタフェースであるか第２のデジタルインタフェースであるかを判別する、ようにさる。
【００１８】
また、この発明において、例えば、デジタルインタフェース判別部は、第１のデジタルインタフェースで動作する外部機器が接続される場合に接地され、第２のデジタルインタフェースで動作する外部機器が接続される場合に接地電圧より高い電圧が印加されるか電気的に浮いた状態とされ、かつ抵抗を介して接地電圧より高い電圧にプルアップされたピンの電圧状態に基づいて、コネクタ部に接続されている外部機器のデジタルインタフェースが第１のデジタルインタフェースであるか第２のデジタルインタフェースであるかを判別する、ようにされる。
【００１９】
また、この発明において、例えば、デジタルインタフェース判別部は、第１のデジタルインタフェースで動作する外部機器が接続される場合に接地され、第２のデジタルインタフェースで動作する外部機器が接続される場合に第１の抵抗を介して接地され、かつ第２の抵抗を介して接地電圧より高い所定電圧にプルアップされたピンの電圧を、所定電圧を第１の抵抗および第２の抵抗で分圧して得られる電圧の上側および下側の電圧と比較した結果に基づいて、コネクタ部に接続されている外部機器のデジタルインタフェースが第１のデジタルインタフェースであるか第２のデジタルインタフェースであるかを判別する、ようにされる。
【００２０】
また、この発明において、例えば、デジタルインタフェース判別部は、第１のデジタルインタフェースで動作する外部機器が接続される場合に接地され、第２のデジタルインタフェースで動作する外部機器が接続される場合に所定電圧が第１の抵抗および第２の抵抗で分圧されて得られた電圧が印加され、かつ第３の抵抗を介して所定電圧にプルアップされたピンの電圧を、所定電圧を第１の抵抗および第３の抵抗の並列抵抗と第２の抵抗とで分圧して得られる電圧の上側および下側の電圧と比較した結果に基づいて、コネクタ部に接続されている外部機器のデジタルインタフェースが第１のデジタルインタフェースであるか第２のデジタルインタフェースであるかを判別する、ようにされる。
【００２１】
また、この発明において、例えば、デジタルインタフェース判別部は、第１のデジタルインタフェースで動作する外部機器が接続される場合に差動信号が入力され、第２のデジタルインタフェースで動作する外部機器が接続される場合に差動信号が入力されない一対のピンに着目し、第２のデジタルインタフェースで動作する外部機器が接続される場合に一対のピンが短絡または第１の抵抗を介して接続され、一対のピンの一方のピンは第２の抵抗を介して所定電圧にプルアップされ、一対のピンの他方のピンは接地された状態で、一方のピンの電圧を、所定電圧を第１の抵抗および第２の抵抗で分圧して得られる電圧よりも高い電圧と比較した結果に基づいて、コネクタ部に接続されている外部機器のデジタルインタフェースが第１のデジタルインタフェースであるか第２のデジタルインタフェースであるかを判別する、ようにされる。
【００２２】
ここで、例えば、第２のデジタルインタフェースで動作する外部機器が接続される場合に一対のピンが短絡または上記第１の抵抗を介して接続される状態は、外部機器をコネクタ部に接続するためのケーブルのプラグ内で行われる。また、コネクタ部へのケーブルの接続を判別する接続判別部をさらに備え、デジタルインタフェース判別部は、接続判別部でコネクタ部にケーブルが接続されたことが判別された後に、コネクタ部に接続されている外部機器のデジタルインタフェースが第１のデジタルインタフェースであるか第２のデジタルインタフェースであるかを判別する、ようにされてもよい。
【００２３】
また、この発明において、例えば、デジタルインタフェース判別部は、第１のデジタルインタフェースで動作する外部機器が接続される場合に使用され、第２のデジタルインタフェースで動作する外部機器が接続される場合に使用されない一対のピンに着目し、第２のデジタルインタフェースで動作する外部機器が接続される場合に、一対のピンが短絡または抵抗を介して接続され、この一対のピンの一方のピンは抵抗を介して所定電圧にプルアップされ、この一対のピンの他方のピンの電流または電圧の状態を検出する第１の検出部を有し、第１のデジタルインタフェースで動作する外部機器が接続される場合、この外部機器から電源が供給される電源ピンに着目し、この電源ピンの電圧状態を検出する第２の検出部をさらに有し、第１の検出部および第２の検出部の検出結果に基づいて、コネクタ部に接続されている外部機器のデジタルインタフェースが第１のデジタルインタフェースであるか第２のデジタルインタフェースであるかを判別する、ようにされる。
【００２４】
ここで、例えば、第２のデジタルインタフェースで動作する外部機器が接続される場合に一対のピンが短絡または抵抗を介して接続される状態は、外部機器をコネクタ部に接続するためのケーブルのプラグ内で行われる。また、例えば、第１のデジタルインタフェースはＨＤＭＩであり、一対のピンの一方のピンはＳＣＬ用のピンであり、一対のピンの他方のピンはＳＤＡ用のピンである。
【００２５】
この場合、例えば、デジタルインタフェース判別部は、第２の検出部で電源ピンの電圧状態が電源の電圧であることが検出されるとき、コネクタ部に接続されている外部機器のデジタルインタフェースが第１のデジタルインタフェースであると判別する、ようにされる。
【００２６】
また、この場合、例えば、デジタルインタフェース判別部は、第２の検出部で電源ピンの電圧状態が電源の電圧でないことが検出され、さらに、第１の検出部で一対のピンの他方のピンを通して電流が流れていること、あるいは一対のピンの他方のピンの電圧が所定電圧にあることが検出されるとき、コネクタ部に接続されている外部機器のデジタルインタフェースが第２のデジタルインタフェースであると判別する、ようにされる。
【００２７】
また、この発明において、例えば、デジタルインタフェース判別部でコネクタ部に接続されている外部機器のデジタルインタフェースが第２のデジタルインタフェースであると判別されるとき、電源ピンを介して外部機器に電源を供給する電源供給部をさらに備える、ようにされる。
【００２８】
この場合、例えば、デジタルインタフェースが第２のデジタルインタフェースである外部機器がバッテリ駆動の電子機器であって、このバッテリが完全に上がっている場合にあっても、この外部機器のデジタルインタフェースが第２のデジタルインタフェースであることが判別可能となる。そのため、上述の電源供給部により外部機器に電源を供給して、充電することが可能となる。
【００２９】
また、この発明において、例えば、デジタルインタフェース判別部は、第１のデジタルインタフェースで動作する外部機器が接続される場合に使用され、第２のデジタルインタフェースで動作する外部機器が接続される場合に使用されない一対のピンに着目し、第２のデジタルインタフェースで動作する外部機器が接続される場合に、一対のピンの一方のピンおよび他方のピンは、一方のピンから他方のピンに一方向に信号を流す電子素子を通じて接続され、一対のピンの一方のピンに第１の信号を供給する第１の信号供給部と、一対のピンの他方のピンに第２の信号を供給する第２の信号供給部と、第１の信号供給部から一対のピンの一方のピンに第１の信号が供給される期間に、一対のピンの他方のピンから第１の信号を検出する第１の信号検出部と、第２の信号供給部から一対のピンの他方のピンに第２の信号が供給される期間に、一対のピンの一方のピンから第２の信号を検出する第２の信号検出部とを有し、第１の信号検出部および第２の信号検出部の検出結果に基づいて、コネクタ部に接続されている外部機器のデジタルインタフェースが第２のデジタルインタフェースであるか否かを判別する、ようにされる。
【００３０】
ここで、例えば、第２のデジタルインタフェースで動作する外部機器が接続される場合に一対のピンが電子素子で接続される状態は、外部機器をコネクタ部に接続するためのケーブルのプラグ内で行われる。また、例えば、第１のデジタルインタフェースはＨＤＭＩであり、一対のピンの一方のピンはＳＣＬ用のピンであり、一対のピンの他方のピンはＳＤＡ用のピンである。また、例えば、電子素子は、ダイオードである。
【００３１】
また、この発明において、例えば、デジタルインタフェース判別部は、第１の信号検出部で第１の信号が検出され、第２の信号検出部で第２の信号が検出されないとき、コネクタ部に接続されている外部機器のデジタルインタフェースが第２のデジタルインタフェースであると判別する、ようにされる。
【００３２】
また、この発明において、例えば、デジタルインタフェース判別部は、第１のデジタルインタフェースで動作する外部機器が接続される場合、この外部機器から電源が供給される電源ピンに着目し、この電源ピンの電圧状態を検出する電圧検出部をさらに有し、電圧検出部で電源ピンの電圧状態が電源の電圧であることが検出されるとき、コネクタ部に接続されている外部機器のデジタルインタフェースが第１のデジタルインタフェースであると判別する、ようにされる。
【００３３】
また、この発明において、例えば、第１の信号および第２の信号はパルス信号とされる。この場合、例えば、第１の信号供給部は、一対のピンの一方のピンを所定電圧が供給される端子に接続する第１の抵抗素子と、この一方のピンを接地端子に接続する第１のスイッチング素子と、この第１のスイッチング素子を駆動するパルス信号を発生する第１のパルス発生器を有し、第２の信号供給部は、一対のピンの他方のピンを所定電圧が供給される端子に接続する第２の抵抗素子と、この他方のピンを接地端子に接続する第２のスイッチング素子と、この第２のスイッチング素子を駆動するパルス信号を発生する第２のパルス発生器を有する、ようにされる。例えば、スイッチング素子は、電界効果トランジスタとされる。
【発明の効果】
【００３４】
この発明によれば、接続外部機器のデジタルインタフェースが判別され、データ伝送部の動作が接続外部機器のデジタルインタフェースに合うように切り換えられるため、第１、第２のデジタルインタフェースで動作する外部機器を接続するためのコネクタ部を兼用でき、コスト面、スペース面で有利となる。
【図面の簡単な説明】
【００３５】
【図１】この発明の実施の形態としてのＡＶシステムの構成例を示すブロック図である。
【図２】ＡＶシステムにおける、ソース機器のデータ送信部と、シンク機器のデータ受信部の構成例を示す図である（ＨＤＭＩ規格のデジタルインタフェースの場合）。
【図３】ＨＤＭＩのＴＭＤＳチャネルで伝送されるＴＭＤＳ伝送データ構造の一例を示す図である。
【図４】ＨＤＭＩ機器に設けられるＨＤＭＩ端子のピン配列（タイプＡ）を示す図である。
【図５】ＡＶシステムにおける、ソース機器のデータ送信部と、シンク機器のデータ受信部の構成例を示す図である（新規格のデジタルインタフェースの場合）。
【図６】ＡＶシステムにおける、ソース機器のデータ送信部と、シンク機器のデータ受信部の構成例を示す図である（他の新規格のデジタルインタフェースの場合）。
【図７】制御部の制御手順を示すフローチャートである。
【図８】ＴＭＤＳ差動信号ペアの模式図である。
【図９】ＴＭＤＳ差動信号が、上限電圧V_high、下限電圧V_low、振幅Vswingとして、この範囲内で動作することを示す図である。
【図１０】デジタルインタフェース判断用のアクティブ範囲検出回路の具体的な回路例を示す図である。
【図１１】ソース機器接続判断用のアクティブ範囲検出回路の具体的な回路例を示す図である。
【図１２】ソース機器がＨＤＭＩ機器である場合、ソース機器からシンク機器に電源ラインで＋５Ｖの電源が供給されることを示す図である。
【図１３】ソース機器が新規格機器である場合、１９ピンはＨＤＭＩ規格で印加される電圧（最低＋４．７Ｖ）を下回る電圧、例えば０Ｖに設定されることを示す図である。
【図１４】ソース機器がＨＤＭＩ機器である場合、ソース機器において、ＤＤＣ-ＧＮＤラインが接続される１７ピンが接地されることを示す図である。
【図１５】ソース機器が新規格機器である場合、ソース機器において、ＤＤＣ-ＧＮＤラインが接続される１７ピンにはＶcc(例えば＋５Ｖ)が印加されるか、またはこの１７ピンは未接続、つまり電気的に浮いた状態とされることを示す図である。
【図１６】ソース機器がＨＤＭＩ機器である場合、ソース機器において、ＤＤＣ-ＧＮＤラインが接続される１７ピンは接地されることを示す図である。
【図１７】ソース機器が新規格機器である場合、ソース機器において、ＤＤＣ-ＧＮＤラインが接続される１７ピンは抵抗Ｒ２を介して接地されることを示す図である。
【図１８】ソース機器がＨＤＭＩ機器である場合、ソース機器において、ＤＤＣ-ＧＮＤラインが接続される１７ピンは接地されること等を示す図である。
【図１９】ソース機器が新規格機器である場合、ソース機器において、Ｖcc(例えば、＋５Ｖ)が抵抗Ｒ１とＲ２で分圧されて得られた電圧が１７ピンに印加されること等を示す図である。
【図２０】シンク機器がＨＤＭＩ機器である場合、シンク機器において、ＤＤＣ-ＧＮＤラインが接続される１７ピンは接地されること等を示す図である。
【図２１】新規格におけるType-Aプラグ内部の処理例を説明するための図である。
【図２２】シンク機器の制御部内の判別部に設けられるケーブル検出回路の構成例を示す図である。
【図２３】ＴＭＤＳ差動ペア模式図に、ケーブル検出回路を挿入した場合の回路例を示す図である。
【図２４】ケーブル未挿入時にケーブル検出回路の電圧コンパレータに入力する電圧を示す図である。
【図２５】ＰＩＮ１（TMDS Data2+）、ＰＩＮ３（TMDS Data2-）の間を抵抗器ＲＴ(５０Ω)でつないだ新規格ケーブルが挿入された場合に電圧コンパレータに入力する電圧を示す図である。
【図２６】ＰＩＮ１（TMDS Data2+）、ＰＩＮ３（TMDS Data2-）の間を導線でショートさせた新規格ケーブルが挿入された場合に電圧コンパレータに入力する電圧を示す図である。
【図２７】ＨＤＭＩケーブル挿入時（ＨＤＭＩソース機器はなし）に電圧コンパレータに入力する電圧を示す図である。
【図２８】ＨＤＭＩケーブル挿入時（HDMI Source機器有り）に電圧コンパレータに入力する電圧を示す図である。
【図２９】レセプタクル内部メカスイッチを説明するための図である。
【図３０】レセプタクル内部メカスイッチによる検出方法を使った場合における、シンク機器の制御部の制御手順を示すフローチャートである。
【図３１】＋５Ｖピン(１８ピン)の電圧を監視する検出方法を使った場合における、シンク機器の制御部の制御手順を示すフローチャートである。
【図３２】＋５Ｖピン(１８ピン)の電圧を監視する検出方法を使った場合における、シンク機器の制御部の他の制御手順を示すフローチャートである。
【図３３】新規格に基づくケーブル線配置を示す図である。
【図３４】新規格ケーブルのケーブル線配置を示す図である。
【図３５】シンク機器の制御部内の判別部内の構成を概略的に示す図である。
【図３６】シンク機器の制御部の制御手順を示すフローチャートである。
【図３７】新規格ケーブルのケーブル線配置を示す図である。
【図３８】シンク機器の制御部内の判別部内の構成を概略的に示す図である。
【図３９】「（１）ケーブル未接続の場合」に検出手順Ａ，Ｂを実行したときの検出結果を説明するための接続状態図である。
【図４０】「（２）新規格ケーブルが接続された場合」に検出手順Ａ，Ｂを実行したときの検出結果を説明するための接続状態図である。
【図４１】「（３）新規格ケーブル＋新規格ソース機器が接続された場合」に検出手順Ａ，Ｂを実行したときの検出結果を説明するための接続状態図である。
【図４２】「（４）ＨＤＭＩケーブルが接続された場合」に検出手順Ａ，Ｂを実行したときの検出結果を説明するための接続状態図である。
【図４３】「（５）ＨＤＭＩケーブル＋ＨＤＭＩソース機器が接続された場合」に検出手順Ａ，Ｂを実行したときの検出結果を説明するための接続状態図である。
【図４４】各場合の検出手順Ａ、検出手順Ｂにおける検出結果out3,out2の一覧を示す図である。
【図４５】シンク機器の制御部の制御手順を示すフローチャートである。
【発明を実施するための形態】
【００３６】
以下、発明を実施するための形態（以下、「実施の形態」とする）について説明する。なお、説明は以下の順序で行う。
１．実施の形態
２．変形例
【００３７】
＜１．実施の形態＞
［ＡＶシステムの構成］
図１は、実施の形態としてのＡＶ（Audio and Visual）システム１００の構成例を示している。このＡＶシステム１００は、ソース機器とシンク機器とが接続されて構成されている。ソース機器１１０は、例えば、ゲーム機、ディスクプレーヤ、セットトップボックス、デジタルカメラ、携帯電話などのＡＶソースである。シンク機器１２０は、例えば、テレビ受信機、プロジェクタ等である。
【００３８】
ソース機器１１０およびシンク機器１２０は、ケーブル２００を介して接続されている。ソース機器１１０には、データ送信部１１２が接続されたコネクタ部１１１が設けられている。シンク機器１２０には、データ受信部１２２が接続されたコネクタ部１２１が設けられている。ケーブル２００の一端はソース機器１１０のコネクタ部１１１に接続され、このケーブル２００の他端はシンク機器１２０のコネクタ部１２１に接続される。
【００３９】
ソース機器１１０は、制御部１１３を有している。この制御部１１３は、ソース機器１１０の全体を制御する。ソース機器１１０のデータ送信部１１２は、ＨＤＭＩ規格のデジタルインタフェースにのみ対応している場合、新規格のデジタルインタフェースにのみ対応している場合、あるいはその双方に対応している場合がある。データ送信部１１２が双方のデジタルインタフェースに対応している場合、いずれかのデジタルインタフェースの動作を行うように、制御部１１３により選択的に切り換えられる。
【００４０】
このソース機器１１０の制御部１１３は、判別部１１４を含んでいる。この判別部１１４は、このソース機器１１０にシンク機器１２０が接続されているか、シンク機器１２０のデータ受信部１２２のデジタルインタフェースがＨＤＭＩ規格であるか新規格であるか等を回路を用いて判別する。制御部１１３は、データ送信部１１２がＨＤＭＩ規格および新規格の双方のデジタルインタフェースに対応している場合、判別部１１４の判別結果に基づいて、シンク機器１２０のデータ受信部１２２のデジタルインタフェースに対応した動作を行うように、データ送信部１１２の動作を切り換える。
【００４１】
シンク機器１２０は、制御部１２３を有している。この制御部１２３は、シンク機器１２０の全体を制御する。シンク機器１２０のデータ受信部１２２は、ＨＤＭＩ規格のデジタルインタフェースにのみ対応している場合、新規格のデジタルインタフェースにのみ対応している場合、あるいはその双方に対応している場合がある。データ受信部１２２が双方のデジタルインタフェースに対応している場合、いずれかのデジタルインタフェースの動作を行うように、制御部１２３により選択的に切り換えられる。
【００４２】
このシンク機器１２０の制御部１２３は、判別部１２４を含んでいる。この判別部１２４は、このシンク機器１２０にソース機器１１０が接続されているか、ソース機器１１０のデータ送信部１１２のデジタルインタフェースがＨＤＭＩ規格であるか新規格であるか等を回路を用いて判別する。制御部１２３は、データ受信部１２２がＨＤＭＩ規格および新規格の双方のデジタルインタフェースに対応している場合、判別部１２４の判別結果に基づいて、ソース機器１１０のデータ送信部１１２のデジタルインタフェースに対応した動作を行うように、データ受信部１２２の動作を切り換える。
【００４３】
［データ送信部、データ受信部の構成例］
図２は、図１のＡＶシステム１００における、ソース機器１１０のデータ送信部１１２と、シンク機器１２０のデータ受信部１２２の構成例を示している。この構成例は、データ送信部１１２およびデータ受信部２２のデジタルインタフェースが、ＨＤＭＩ規格のデジタルインタフェースの場合を示している。
【００４４】
データ送信部１１２は、有効画像区間（以下、適宜、アクティブビデオ区間ともいう）において、非圧縮の１画面分の画像の画素データに対応する差動信号を、複数のチャネルで、データ受信部１２２に一方向に送信する。ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくとも画像に付随する音声データや制御データ、その他の補助データ等に対応する差動信号を、複数のチャネルで、データ受信部１２２に一方向に送信する。
【００４５】
データ送信部１１２とデータ受信部１２２とからなるＨＤＭＩシステムの伝送チャネルには、以下の伝送チャネルがある。すなわち、データ送信部１１２からデータ受信部１２２に対して、画素データおよび音声データを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００４６】
データ送信部１１２は、ＨＤＭＩトランスミッタ８１を有する。このＨＤＭＩトランスミッタ８１は、例えば、非圧縮の画像の画素データを対応する差動信号に変換し、複数のチャネルである３つのＴＭＤＳチャネル＃０，＃１，＃２で、ＨＤＭＩケーブルを介して接続されているデータ受信部１２２に、一方向にシリアル伝送する。
【００４７】
また、ＨＤＭＩトランスミッタ８１は、非圧縮の画像に付随する音声データ、さらには、必要な制御データその他の補助データ等を、対応する差動信号に変換し、３つのＴＭＤＳチャネル＃０，＃１，＃２でデータ受信部１２２に、一方向にシリアル伝送する。
【００４８】
さらに、ＨＤＭＩトランスミッタ８１は、３つのＴＭＤＳチャネル＃０，＃１，＃２で送信する画素データに同期したＴＭＤＳクロックを、ＴＭＤＳクロックチャネルで、ＨＤＭＩケーブルを介して接続されているデータ送信部１２２に送信する。ここで、１つのＴＭＤＳチャネル＃ｉ（ｉ＝０，１，２）では、ＴＭＤＳクロックの１クロックの間に、１０ビットの画素データが送信される。
【００４９】
データ受信部１２２は、アクティブビデオ区間において、複数のチャネルで、データ送信部１２２から一方向に送信されてくる、画素データに対応する差動信号を受信する。また、このデータ受信部１２２は、水平帰線区間または垂直帰線区間において、複数のチャネルで、データ送信部１１２から一方向に送信されてくる、音声データや制御データに対応する差動信号を受信する。
【００５０】
すなわち、データ受信部１２２は、ＨＤＭＩレシーバ８２を有する。このＨＤＭＩレシーバ８２は、ＴＭＤＳチャネル＃０，＃１，＃２で、データ送信部１１２から一方向に送信されてくる、画素データに対応する差動信号と、音声データや制御データに対応する差動信号を受信する。この場合、データ送信部１１２からＴＭＤＳクロックチャネルで送信されてくるピクセルクロック（ＴＭＤＳクロック）に同期して受信する。
【００５１】
ＨＤＭＩシステムの伝送チャネルには、上述のＴＭＤＳチャネル＃０〜＃２およびＴＭＤＳクロックチャネルの他に、ＤＤＣ（Display Data Channel）やＣＥＣラインと呼ばれる伝送チャネルがある。ＤＤＣは、ＨＤＭＩケーブルに含まれる図示しない２本の信号線からなる。ＤＤＣは、データ送信部１１２が、データ受信部１２２から、Ｅ−ＥＤＩＤ（Enhanced Extended Display Identification Data）を読み出すために使用される。
【００５２】
すなわち、データ受信部１２２は、ＨＤＭＩレシーバ８１の他に、自身の性能（Configuration/capability）に関する性能情報であるＥ−ＥＤＩＤを記憶している、ＥＤＩＤ  ＲＯＭ(Read Only Memory)を有している。データ送信部１１２は、例えば、制御部１１３からの要求に応じて、ＨＤＭＩケーブルを介して接続されているデータ受信部１２２から、Ｅ−ＥＤＩＤを、ＤＤＣを介して読み出す。
【００５３】
データ送信部１１２は、読み出したＥ−ＥＤＩＤを制御部１１３に送る。制御部１１３は、このＥ−ＥＤＩＤを、図示しないフラッシュＲＯＭあるいはＤＲＡＭに格納する。制御部１１３は、Ｅ−ＥＤＩＤに基づき、データ受信部１２２の性能の設定を認識できる。例えば、制御部１１３は、データ受信部１２２を有するシンク機器１２０が立体画像データの取り扱いが可能か否か、可能である場合はさらにいかなるＴＭＤＳ伝送データ構造に対応可能であるか等を認識する。
【００５４】
ＣＥＣラインは、ＨＤＭＩケーブルに含まれる図示しない１本の信号線からなり、データ送信部１１２とデータ受信部１２２との間で、制御用のデータの双方向通信を行うために用いられる。このＣＥＣラインは、制御データラインを構成している。
【００５５】
また、ＨＤＭＩケーブルには、ＨＰＤ(Hot Plug Detect)と呼ばれるピンに接続されるライン（ＨＰＤライン）が含まれている。ソース機器は、このＨＰＤラインを利用して、シンク機器の接続を検出することができる。なお、このＨＰＤラインは双方向通信路を構成するＨＥＡＣ−ラインとしても使用される。また、ＨＤＭＩケーブルには、ソース機器からシンク機器に電源を供給するために用いられる電源ライン（+5VPower Line）が含まれている。さらに、ＨＤＭＩケーブルには、ユーティリティラインが含まれている。このユーティリティラインは双方向通信路を構成するＨＥＡＣ＋ラインとしても使用される。
【００５６】
図３は、ＴＭＤＳ伝送データの構造例を示している。この図３は、ＴＭＤＳチャネル＃０，＃１，＃２において、横×縦が１９２０ピクセル×１０８０ラインの画像データが伝送される場合の、各種の伝送データの区間を示している。
【００５７】
ＨＤＭＩの３つのＴＭＤＳチャネル＃０，＃１，＃２で伝送データが伝送されるビデオフィールド（Video Field）には、伝送データの種類に応じて、３種類の区間が存在する。この３種類の区間は、ビデオデータ区間（Video Data period）、データアイランド区間（Data Islandperiod）、およびコントロール区間（Control period）である。
【００５８】
ここで、ビデオフィールド区間は、ある垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（verticalblanking）、並びに、アクティブビデオ区間（Active Video）に分けられる。このアクティブビデオ区間は、ビデオフィールド区間から、水平ブランキング期間および垂直ブランキング期間を除いた区間である
【００５９】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【００６０】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００６１】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００６２】
図４は、ＨＤＭＩレセプタクルのピン配列の一例を示している。図４に示すピン配列はタイプＡ（type-A）と呼ばれている。ＴＭＤＳチャネル＃ｉの差動信号であるＴＭＤＳ  Ｄａｔａ＃ｉ＋とＴＭＤＳ  Ｄａｔａ＃ｉ−は差動線である２本のラインにより伝送される。この２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００６３】
また、制御用のデータであるＣＥＣ信号が伝送されるＣＥＣラインは、ピン番号が１３であるピンに接続される。また、Ｅ−ＥＤＩＤ等のＳＤＡ(Serial Data)信号が伝送されるラインは、ピン番号が１６であるピンに接続される。ＳＤＡ信号の送受信時の同期に用いられるクロック信号であるＳＣＬ(Serial Clock)信号が伝送されるラインは、ピン番号が１５であるピンに接続される。上述のＤＤＣは、ＳＤＡ信号が伝送されるラインおよびＳＣＬ信号が伝送されるラインにより構成される。
【００６４】
また、上述したようにソース機器がシンク機器の接続を検出するためのＨＰＤライン（ＨＥＡＣ−ライン）は、ピン番号が１９であるピンに接続される。また、ユーティリティライン（ＨＥＡＣ＋ライン）は、ピン番号が１４であるピンに接続される。また、上述したように電源を供給するための電源ラインは、ピン番号が１８であるピンに接続される。
【００６５】
図５は、図１のＡＶシステム１００における、ソース機器１１０のデータ送信部１１２と、シンク機器１２０のデータ受信部１２２の構成例を示している。この構成例は、データ送信部１１２およびデータ受信部１２２のデジタルインタフェースが、新規格のデジタルインタフェースの場合を示している。この図５において、図２と対応する部分には同一符号を付して示し、適宜、その詳細説明を省略する。
【００６６】
データ送信部１１２は、有効画像区間（以下、適宜、アクティブビデオ区間ともいう）において、非圧縮の１画面分の画像の画素データに対応する差動信号を、複数のチャネルで、データ受信部１２２に一方向に送信する。ここで、有効画像区間は、一の垂直同期信号から次の垂直同期信号までの区間から、水平帰線区間及び垂直帰線区間を除いた区間である。また、データ送信部１１２は、水平帰線区間または垂直帰線区間において、少なくとも画像に付随する音声データや制御データ、その他の補助データ等に対応する差動信号を、１つのＴＭＤＳチャネル＃０で、データ受信部１２２に一方向に送信する。
【００６７】
この場合、ＴＭＤＳクロックは、ＨＤＭＩ規格（図２参照）の場合の三倍とされることで、ＴＭＤＳチャネル＃０だけでの伝送を可能にしている。また、ＴＭＤＳクロック自身も、ＴＭＤＳチャネル＃０にコモンモードで挿入することで、ＴＭＤＳクロックチャネルも不要としている。そのため、この新規格のデジタルインタフェースでは、ＨＤＭＩレセプタクル（Ａタイプ）の各ピンのうち、ＨＤＭＩ規格のデジタルインタフェースの場合にＴＭＤＳチャネル＃１、ＴＭＤＳチャネル＃２、ＴＭＤＳクロックチャネルで使用されている９本のピン（ＰＩＮ１−６，１０−１２）は、未使用となる。
【００６８】
データ送信部１１２は、トランスミッタ８１Ａを有する。このトランスミッタ８１Ａは、例えば、非圧縮の画像の画素データを対応する差動信号に変換し、１つのＴＭＤＳチャネル＃０で、ＨＤＭＩケーブルあるいは新規格ケーブルを介して接続されているデータ受信部１２２に、一方向にシリアル伝送する。
【００６９】
また、トランスミッタ８１Ａは、非圧縮の画像に付随する音声データ、さらには、必要な制御データその他の補助データ等を、対応する差動信号に変換し、１つのＴＭＤＳチャネル＃０でデータ受信部１２２に、一方向にシリアル伝送する。
【００７０】
データ受信部１２２は、アクティブビデオ区間において、１つのチャネル＃０で、データ送信部１２２から一方向に送信されてくる、画素データに対応する差動信号を受信する。また、このデータ受信部１２２は、水平帰線区間または垂直帰線区間において、１つの複数のチャネル＃０で、データ送信部１１２から一方向に送信されてくる、音声データや制御データに対応する差動信号を受信する。
【００７１】
すなわち、データ受信部１２２は、レシーバ８２Ａを有する。このレシーバ８２Ａは、ＴＭＤＳチャネル＃０で、データ送信部１１２から一方向に送信されてくる、画素データに対応する差動信号と、音声データや制御データに対応する差動信号を受信する。
【００７２】
図５に示す新規格の場合におけるデータ送信部１１２とデータ受信部１２２の構成例のその他は、図２に示すＨＤＭＩ規格の場合におけるデータ送信部１１２とデータ受信部１２２の構成例と同様であるので、その詳細説明は省略する。
【００７３】
図６は、図１のＡＶシステム１００における、ソース機器１１０のデータ送信部１１２と、シンク機器１２０のデータ受信部１２２の構成例を示している。この構成例も、データ送信部１１２およびデータ受信部１２２のデジタルインタフェースが、新規格のデジタルインタフェースの場合を示している。この図６において、図５と対応する部分には同一符号を付して示し、適宜、その詳細説明を省略する。
【００７４】
この図６に示す構成例の場合、図５の構成例と同様に、データ送信部１１２は、水平帰線区間または垂直帰線区間において、少なくとも画像に付随する音声データや制御データ、その他の補助データ等に対応する差動信号を、１つのＴＭＤＳチャネル＃０で、データ受信部１２２に一方向に送信する。
【００７５】
この場合、ＴＭＤＳクロックは、ＨＤＭＩ規格（図２参照）の場合の三倍とされることで、ＴＭＤＳチャネル＃０だけでの伝送を可能にしている。また、ＴＭＤＳクロック自身も、ＴＭＤＳチャネル＃０にコモンモードで挿入することで、ＴＭＤＳクロックチャネルも不要としている。この場合、ＨＤＭＩレセプタクルのＰＩＮ１，２の２ピンが使用される。
【００７６】
また、この図６の構成例では、ＣＥＣ，ＤＤＣ，ＨＰＤのラインとして、１本のコントロールライン（Control Line）が使用される。また、電源ライン（+5VPower Line）は省略される。また、ＵＳＢのように携帯ソース機器充電用にＶＢＵＳライン（VBUS Line）が追加され、さらに、共通にグランドライン（Grand Line）が設けられる。
【００７７】
コントロールラインは、ピン番号が３であるピンに接続される。また、ＶＢＵＳラインは、ピン番号が４であるピンに接続される。さらに、グランドラインは、ピン番号が５であるピンに接続される。そのため、この図６に示す新規格のデジタルインタフェースでは、ＨＤＭＩレセプタクル（Ａタイプ）の各ピンのうち、ＰＩＮ６−１９の１４ピンが未使用となる。
【００７８】
図１に示すＡＶシステム１００において、シンク機器１２０のデータ受信部１２２は、ＨＤＭＩ規格および新規格の双方のデジタルインタフェースに対応可能である場合、ソース機器１１０のデータ送信部１１２のデジタルインタフェースに合わせた動作を行うように制御される。すなわち、制御部１２３は、パワーオン後に、コネクタ部１２１にケーブル２００が接続されているとき、ソース機器１１０のデータ送信部１１２のデジタルインタフェースがＨＤＭＩ規格か新規格かを判別し、その判別結果に応じてデータ受信部１２２の動作を制御する。
【００７９】
図７のフローチャートは、制御部１２３の制御手順を示している。まず、制御部１２３は、ステップＳＴ１において、パワーオンで処理を開始し、その後に、ステップＳＴ２のケーブル検出モードの処理に移る。このケーブル検出モードでは、コネクタ部１２１の１８ピンの電圧、ケーブル接続を検出するセンサの出力等から、ケーブル２００のコネクタ部１２１への接続を検出する。
【００８０】
次に、制御部１２３は、ステップＳＴ３において、ステップＳＴ２の検出結果に基づいて、ケーブル２００がコネクタ部１２１に接続されたか否かを判断する。コネクタ部１２１にケーブル２００が接続されているとき、制御部１２３は、ステップＳＴ４の処理に移る。このステップＳＴ４において、制御部１２３は、判別部１２４の判別結果に基づいて、ソース機器１１０のデータ送信部１１２のデジタルインタフェースがＨＤＭＩ規格か新規格かを判別する。
【００８１】
ＨＤＭＩ規格であるとき、制御部１２３は、ステップＳＴ５において、データ受信部１２２を、ＨＤＭＩ規格のデジタルインタフェースに合わせた動作モード（ＨＤＭＩモード）に制御する。また、新規格であるとき、制御部１２３は、ステップＳＴ６において、データ受信部１２２を、新規格のデジタルインタフェースに合わせた動作モード（新規格モード）に制御する。制御部１２３は、ステップＳＴ５あるいはステップＳＴ６の処理の後、ステップＳＴ７において、ケーブル２００の引き抜きがあったか否かを判別し、ケーブル２００の引き抜きがない限り、データ受信部１２２の動作モードをそのまま維持する。一方、データの引き抜きがあったときは、直ちに、ステップＳＴ２に戻る。
【００８２】
また、図１に示すＡＶシステム１００において、ソース機器１１０のデータ送信部１２２は、ＨＤＭＩ規格および新規格の双方のデジタルインタフェースに対応可能である場合、シンク機器１２０のデータ受信部１２２のデジタルインタフェースに合わせた動作を行うように制御される。すなわち、制御部１１３は、パワーオン後に、コネクタ部１１１にケーブル２００が接続されているとき、シンク機器１２０のデータ受信部１２２のデジタルインタフェースがＨＤＭＩ規格か新規格かを判別し、その判別結果に応じてデータ送信部１１２の動作を制御する。この制御部１１３の制御手順は、詳細説明は省略するが、上述したシンク機器１２０の制御部１２３の制御手順と同様である（図７参照）。
【００８３】
［判別部の構成例］
次に、シンク機器１２０の制御部１２３内の判別部１２４、ソース機器１１０の制御部１１３内の判別部１１４の構成例を説明する。
【００８４】
［第１の構成例］
この構成例は、ＴＭＤＳ差動信号線のみで判別する例である。複数のＴＭＤＳ差動信号ペアのうち、１ペアだけがアクティブな信号ペアであることを検出する。例えば、図５の構成例で示したように、ＨＤＭＩ規格では３つのＴＭＤＳチャネル＃０〜＃２が使用されるが、新規格（図５参照）では１つのＴＭＤＳチャネル＃０のみが使用される。そのため、新規格では、ＴＭＤＳチャネル＃１，＃２およびＴＭＤＳクロックチャネルは未使用とされる。
【００８５】
この構成例では、ソース機器１１０のデータ送信部１１２がＨＤＭＩ規格のデジタルインタフェースで動作する場合に差動信号が入力され、また、ソース機器１１０の送信部１１２が新規格（図５参照）のデジタルインタフェースで動作する場合に差動信号が入力されない一対のピン、例えばＰＩＮ１，３に対して、アクティブ範囲検出回路が設けられる。このアクティブ範囲検出回路の検出結果により、ソース機器１１０のデータ送信部１１２のデジタルインタフェースがＨＤＭＩ規格であるか新規格であるかの判断が可能となる。
【００８６】
図８は、ＴＭＤＳ差動信号ペアの模式図を示している。この図８において、ＴＭＤＳ差動信号は、図９に示すように、上限電圧V_high、下限電圧V_low、振幅Vswingとして、この範囲内で動作する。アクティブ範囲検出回路は、差動信号ペアのいずれもＴＭＤＳの規定電圧範囲内であれば、「Ｈ」を出力し、差動信号ペアのうちいずれか一方、または両方がＴＭＤＳの規定電圧範囲外であれば、「Ｌ」を出力する回路である。
【００８７】
図１０は、デジタルインタフェース判断用のアクティブ範囲検出回路３１０の具体的な回路例を示している。この回路例は、２個のウインドコンパレータ３１１，３１２と、１個のアンド回路３１３により構成される。ウインドコンパレータ３１１，３１２は、ＴＭＤＳの上限電圧をＶ_high、下限電圧をV_lowとし、差動信号ペアの１本をＶ_cに接続すると、Ｖ_high > Ｖ_c > Ｖ_lowの指定範囲内であれば、アンド回路出力は「Ｈ」となる。ウインドコンパレータ３１１には、ＰＩＮ１の電圧Ｖ_c1が入力され、ウインドコンパレータ３１２には、ＰＩＮ３の電圧Ｖ_c3が入力される。そして、ウインドコンパレータ３１１，３１２の出力がアンド回路３１３に入力され、このアンド回路３１３の出力がアクティブ範囲検出回路３１０の出力outAとなる。
【００８８】
また、この構成例では、ソース機器１１０のデータ送信部１１２がＨＤＭＩ規格のデジタルインタフェースで動作する場合およびソース機器１１０の送信部１１２が新規格（図５参照）のデジタルインタフェースで動作する場合のいずれの場合にも差動信号が入力される一対のピン、例えばＰＩＮ７，９に対して、アクティブ範囲検出回路が設けられる。このアクティブ範囲検出回路の検出結果により、ソース機器１１０がケーブル２００を介して接続されているか否かの判断が可能となる。
【００８９】
図１１は、ソース機器接続判断用のアクティブ範囲検出回路３２０の具体的な回路例を示している。この回路例は、２個のウインドコンパレータ３２１，３２２と、１個のアンド回路３２３により構成される。ウインドコンパレータ３２１，３２２は、ＴＭＤＳの上限電圧をＶ_high、下限電圧をV_lowとし、差動信号ペアの１本をＶ_cに接続すると、Ｖ_high > Ｖ_c > Ｖ_lowの指定範囲内であれば、アンド回路出力は「Ｈ」となる。ウインドコンパレータ３２１には、ＰＩＮ７の電圧Ｖ_c7が入力され、ウインドコンパレータ３２２には、ＰＩＮ９の電圧Ｖ_c9が入力される。そして、ウインドコンパレータ３２１，３２２の出力がアンド回路３２３に入力され、このアンド回路３２３の出力がアクティブ範囲検出回路３２０の出力outBとなる。
【００９０】
図１０、図１１に示すアクティブ範囲検出回路３１０，３２０の出力outA，outBは以下のようになる。すなわち、ソース機器１１０が接続されており、このソース機器１１０のデータ送信部１１２のデジタルインタフェースがＨＤＭＩ規格である場合には、outA＝「Ｈ」、outB＝「Ｈ」となる。また、ソース機器１１０が接続されており、このソース機器１１０のデータ送信部１１２のデジタルインタフェースが新規格である場合には、outA＝「Ｌ」、outB＝「Ｈ」となる。さらに、ソース機器１１０が接続されていない場合には、outA＝「Ｌ」、outB＝「Ｌ」となる。
【００９１】
図１０、図１１に示すアクティブ範囲検出回路３１０，３２０を設けることで、ソース機器１１０が接続されているか否かの判断、および、そのデータ送信部１１２のデジタルインタフェースがＨＤＭＩ規格であるか新規格であるかの判断が可能となる。
【００９２】
なお、上述の説明では、シンク機器１２０の制御部１２３内の判別部１２４に設けられるアクティブ範囲検出回路３１０，３２０について説明した。しかし、同様のアクティブ範囲検出回路を、ソース機器１１０の制御部１１３内の判別部１１４に設けることで、シンク機器１２０が接続されているか否かの判断、および、そのデータ受信部１２２のデジタルインタフェースがＨＤＭＩ規格であるか新規格であるかの判断が可能となる。
【００９３】
この場合、ソース機器１１０のデータ送信部１１２がＨＤＭＩ規格のデジタルインタフェースで動作する場合に差動信号を出力し、また、ソース機器１１０の送信部１１２が新規格（図５参照）のデジタルインタフェースで動作する場合に差動信号を出力しない一対のピン、例えばＰＩＮ１，３に対して、アクティブ範囲検出回路が設けられる。このアクティブ範囲検出回路の検出結果により、シンク機器１２０のデータ受信部１２２のデジタルインタフェースがＨＤＭＩ規格であるか新規格であるかの判断が可能となる。
【００９４】
また、この場合、ソース機器１１０のデータ送信部１１２がＨＤＭＩ規格のデジタルインタフェースで動作する場合およびソース機器１１０の送信部１１２が新規格（図５参照）のデジタルインタフェースで動作する場合のいずれの場合にも差動信号を出力する一対のピン、例えばＰＩＮ７，９に対して、アクティブ範囲検出回路が設けられる。このアクティブ範囲検出回路の検出結果により、シンク機器１２０がケーブル２００を介して接続されているか否かの判断が可能となる。
【００９５】
［第２の構成例］
この構成例は、ＴＭＤＳ差動信号線以外で判別する例である。新規格（図６参照）では、１８ピンに接続される電源ライン（+5VPower Line）、および１９ピンに接続されるＨＰＤラインは使用されない。そこで、この例では、この電源ラインおよびＨＰＤラインを使用する。
【００９６】
ソース機器１１０のデータ送信部１１２がＨＤＭＩ規格のデジタルインタフェースで動作する場合、図１２に示すように、ソース機器１１０からシンク機器１２０に電源ラインで＋５Ｖの電源が供給される。シンク機器１２０では、この電源ラインが接続されるコネクタ部１２１の１８ピンと、ＨＰＤラインが接続されるコネクタ部１２１の１９ピンとが、ダイオードおよび抵抗を介して接続されている。そのため、ソース機器１１０にシンク機器１２０が接続される場合にはＨＰＤラインの電圧が高くなるので、ソース機器１１０ではシンク機器１２０が接続されたことを確認できる。
【００９７】
この構成例では、ソース機器１１０のデータ送信部１１２が新規格（図６参照）のデジタルインタフェースで動作する場合、図１３に示すように、１８ピンはＨＤＭＩ規格で印加される電圧（最低＋４．７Ｖ）を下回る電圧、例えば０Ｖに設定される。また、１９ピンは、１８ピンに印加される電圧より高い電圧、例えば、＋３．３Ｖに設定される。
【００９８】
この構成例では、シンク機器１２０の制御部１２３内の判別部１２４には、２個の電圧コンパレータ３３１，３３２が設けられる。電圧コンパレータ３３１の正入力端子には＋４．７Ｖが入力され、その負入力端子には、コネクタ部１２１の１８ピンの電圧が入力される。また、電圧コンパレータ３３２の正入力端子には、コネクタ部１２１の１９ピンの電圧が入力され、その負入力端子は０Ｖが入力される。
【００９９】
図１２、図１３に示す電圧コンパレータ３３１，３３２の出力out1，out2は以下のようになる。すなわち、ソース機器１１０が接続されており、このソース機器１１０のデータ送信部１１２のデジタルインタフェースがＨＤＭＩ規格である場合には、out1＝「Ｌ」、out2＝「Ｈ」となる。また、ソース機器１１０が接続されており、このソース機器１１０のデータ送信部１１２のデジタルインタフェースが新規格である場合には、out1＝「Ｈ」、out2＝「Ｈ」となる。
【０１００】
このように、この構成例では、電圧コンパレータ３３１，３３２の出力out1，out2によって、データ送信部１１２のデジタルインタフェースがＨＤＭＩ規格であるか新規格であるかの判断が可能となる。ケーブル未接続の場合、ＨＰＤライン＋３．３Ｖに設定できないので、ケーブル接続判定は不要である。なお、ダイオードと抵抗は、ＨＤＭＩ規格機器の場合必要であるが、新規格接続の場合にはダイオードが逆バイアスのため非道通となり、何ら動作に支障はない。
【０１０１】
［第３の構成例］
この構成例も、ＴＭＤＳ差動信号線以外で判別する例である。新規格（図６参照）では、１７ピンに接続されるＤＤＣ-ＧＮＤラインは使用されない。そこで、この例では、このＤＤＣ-ＧＮＤラインを使用する。
【０１０２】
ソース機器１１０のデータ送信部１１２がＨＤＭＩ規格のデジタルインタフェースで動作する場合、図１４に示すように、ソース機器１１０において、ＤＤＣ-ＧＮＤラインが接続される１７ピンは接地される。この構成例では、ソース機器１１０のデータ送信部１１２が新規格（図６参照）のデジタルインタフェースで動作する場合、図１５に示すように、１７ピンにはＶcc(例えば＋５Ｖ)が印加されるか、またはこの１７ピンは未接続、つまり電気的に浮いた状態とされる。
【０１０３】
この構成例では、シンク機器１２０において、コネクタ部１２１の１７ピンは抵抗Ｒを介してＶccにプルアップされる。また、シンク機器１２０の制御部１２３内の判別部１２４には、１個の電圧コンパレータ３４１が設けられる。電圧コンパレータ３４１の正入力端子には、コネクタ部１２１の１７ピンの電圧が入力される。また、電圧コンパレータ３４１の負入力端子には、Ｖcc/２が入力される。
【０１０４】
図１４、図１５に示す電圧コンパレータ３４１の出力out1は以下のようになる。すなわち、ソース機器１１０が接続されており、このソース機器１１０のデータ送信部１１２のデジタルインタフェースがＨＤＭＩ規格である場合には、out1＝「Ｌ」となる。また、ソース機器１１０が接続されており、このソース機器１１０のデータ送信部１１２のデジタルインタフェースが新規格である場合には、out1＝「Ｈ」となる。
【０１０５】
このように、この構成例では、電圧コンパレータ３４１の出力out1によって、データ送信部１１２のデジタルインタフェースがＨＤＭＩ規格であるか新規格であるかの判断が可能となる。この構成例では、ソース機器１１０のデータ送信部１１２のデジタルインタフェースが新規格である場合と、未接続の場合との区別がつかないので、別途ケーブル接続判定が必要である。
【０１０６】
［第４の構成例］
この構成例も、ＴＭＤＳ差動信号線以外で判別する例である。新規格（図６参照）では、１７ピンに接続されるＤＤＣ-ＧＮＤラインは使用されない。そこで、この例では、このＤＤＣ-ＧＮＤラインを使用する。
【０１０７】
ソース機器１１０のデータ送信部１１２がＨＤＭＩ規格のデジタルインタフェースで動作する場合、図１６に示すように、ソース機器１１０において、ＤＤＣ-ＧＮＤラインが接続される１７ピンは接地される。この構成例では、ソース機器１１０のデータ送信部１１２が新規格（図６参照）のデジタルインタフェースで動作する場合、図１７に示すように、１７ピンは抵抗Ｒ２を介して接地される。
【０１０８】
この構成例では、シンク機器１２０において、コネクタ部１２１の１７ピンは抵抗Ｒ１（＝Ｒ１）を介してＶcc（例えば、＋５Ｖ）にプルアップされる。また、シンク機器１２０の制御部１２３内の判別部１２４には、２個の電圧コンパレータ３５１，３５２が設けられる。電圧コンパレータ３５１，３５２の正入力端子には、コネクタ部１２１の１７ピンの電圧が入力される。
【０１０９】
また、電圧コンパレータ３５１の負入力端子には、３Ｖcc/４が入力される。この場合、この電圧コンパレータ３５１では、１７ピンの電圧が、Ｖccを抵抗Ｒ１と抵抗Ｒ２で分圧して得られる電圧の上側の電圧と比較される。また、電圧コンパレータ３５２の負入力端子には、Ｖcc/４が入力される。この場合、この電圧コンパレータ３５２では、１７ピンの電圧が、Ｖccを抵抗Ｒ１と抵抗Ｒ２で分圧して得られる電圧の下側の電圧と比較される。
【０１１０】
図１６、図１７に示す電圧コンパレータ３５１，３５２の出力out1，out2は以下のようになる。すなわち、ソース機器１１０が接続されており、このソース機器１１０のデータ送信部１１２のデジタルインタフェースがＨＤＭＩ規格である場合には、out1＝「Ｌ」、out2＝「Ｌ」となる。また、ソース機器１１０が接続されており、このソース機器１１０のデータ送信部１１２のデジタルインタフェースが新規格である場合には、out1＝「Ｌ」、out2＝「Ｈ」となる。さらに、ソース機器１１０が接続されていない場合には、out1＝「Ｈ」、out2＝「Ｈ」となる。
【０１１１】
このように、この構成例では、電圧コンパレータ３５１，３５２の出力out1，out2によって、ソース機器１１０が接続されているか否かの判断、データ送信部１１２のデジタルインタフェースがＨＤＭＩ規格であるか新規格であるかの判断が可能となる。
【０１１２】
［第５の構成例］
この構成例も、ＴＭＤＳ差動信号線以外で判別する例である。新規格（図６参照）では、１７ピンに接続されるＤＤＣ-ＧＮＤラインは使用されない。そこで、この例では、このＤＤＣ-ＧＮＤラインを使用する。
【０１１３】
ソース機器１１０がＨＤＭＩ機器である場合、図１８に示すように、ソース機器１１０において、ＤＤＣ-ＧＮＤラインが接続される１７ピンは接地される。また、ソース機器１１０の新規格機器（図６参照）である場合、図１９に示すように、Ｖcc(例えば、＋５Ｖ)が抵抗Ｒ１とＲ２で分圧されて得られた電圧が、１７ピンに印加される。また、制御部１１３内の判別部１１４には、２個の電圧コンパレータ３６１，３６２が設けられる。この電圧コンパレータ３６１の負入力端子および電圧コンパレータ３６２の正入力端子には、コネクタ部１１１の１７ピンの電圧が入力される。また、電圧コンパレータ３６１の正入力端子には、電圧Ｖ３が入力される。また、電圧コンパレータ３６２の負入力端子には、電圧Ｖ４が入力される。
【０１１４】
また、シンク機器１２０がＨＤＭＩ機器である場合、図２０に示すように、シンク機器１２０において、ＤＤＣ-ＧＮＤラインが接続される１７ピンは接地される。また、シンク機器１２０が新規格機器（図６参照）である場合、図１９に示すように、１７ピンは、抵抗Ｒ１を介して電圧Ｖccにプルアップされる。また、制御部１２３内の判別部１２４には、２個の電圧コンパレータ３６３，３６４が設けられる。この電圧コンパレータ３６３の負入力端子および電圧コンパレータ３６４の正入力端子には、コネクタ部１１１の１７ピンの電圧が入力される。また、電圧コンパレータ３６３の正入力端子には、電圧Ｖ１が入力される。また、電圧コンパレータ３６４の負入力端子には、電圧Ｖ２が入力される。
【０１１５】
ここで、Ｒ１＝２＊Ｒ２とされる。シンク機器１２０側のコネクタ部１２１の１７ピンの電圧Ｖsinkは、以下のように計算される。すなわち、図１８の場合には、Ｖsink＝０、図１９の場合には、Ｖsink＝Ｖcc／２、ケーブル未接続の場合には、Ｖsink＝Ｖccとなる。また、ソース機器１１０側のコネクタ部１１１の１７ピンの電圧Ｖsourceは、以下のように計算される。すなわち、図１９の場合には、Ｖsource＝Ｖcc／２、図２０の場合には、Ｖsource＝０、ケーブル未接続の場合には、Ｖsink＝Ｖcc／３となる。
【０１１６】
したがって、従って比較電圧Ｖ１、Ｖ２、Ｖ３、Ｖ４を次式のように設定すれば、電圧コンパレータの出力out1とout2、out3とout4の組み合わせで各接続状態を検出できる。なお、ケーブル未接続の場合は、out1〜out4全ての出力が「Ｈ」となる。
Ｖ１  ＝  ３／４＊Ｖcc
Ｖ２  ＝  １／４＊Ｖcc
Ｖ３  ＝  ５／１２＊Ｖcc
Ｖ４  ＝  １／４＊Ｖcc
【０１１７】
なお、図１９の場合には、シンク機器１２０の電圧コンパレータ３６３では、１７ピンの電圧が、Ｖccを抵抗Ｒ１，Ｒ１の並列抵抗と抵抗Ｒ２で分圧して得られる電圧の上側の電圧と比較される。また、シンク機器１２０の電圧コンパレータ３６４では、１７ピンの電圧が、Ｖccを抵抗Ｒ１，Ｒ１の並列抵抗と抵抗Ｒ２で分圧して得られる電圧の下側の電圧と比較される。
【０１１８】
［第６の構成例］
この構成例は、ＴＭＤＳ差動信号線のみで判別する例である。この構成例では、ソース機器１１０のデータ送信部１１２がＨＤＭＩ規格のデジタルインタフェースで動作する場合に差動信号が入力され、また、ソース機器１１０の送信部１１２が新規格（図５参照）のデジタルインタフェースで動作する場合に差動信号が入力されない一対のピン、例えばＰＩＮ１，３に着目する。
【０１１９】
ここで、シンク機器側のＰＩＮ１とＰＩＮ３とのインピーダンスは、以下のようになる。
（１）HDMIケーブルが挿入されていない場合：ハイインピーダンス
（２）HDMIケーブルのみ挿入されている場合：ハイインピーダンス
（３）HDMIケーブル＋HDMIソース機器が接続されている場合：ハイインピーダンス
【０１２０】
以上のように、ソース機器が接続されていない２つのケース（１）、（２）では、ＰＩＮ１、ＰＩＮ３は非接続なのでハイインピーダンスとなる。また、ＨＤＭＩソース機器が接続されている場合でも、機器を保護するためハイインピーダンスとなっている。
【０１２１】
一方、新規格（図５参照）では、ＰＩＮ１，３は未使用なので、図２１（ａ）のようにType-Aプラグ内部でＰＩＮ１とＰＩＮ３を導線でショートさせるか、または、図２１（ｂ）に示すように、ＰＩＮ１とＰＩＮ３とを抵抗Ｒ(５０Ω)でつなぐ。これにより、新規格のケーブルがシンク側Type-AのＨＤＭＩレセプタクルに挿入されている場合、ソース機器の有無に拘わらず、ＰＩＮ１とＰＩＮ３との間では、シンク機器側から見て導通することになる。また、ここではＰＩＮ１とＰＩＮ３を例に挙げたが、新規格で使用しないピンのうち、ＨＤＭＩソース機器側でハイインピーダンスとなるＰＩＮの組み合わせならば、いずれも適用可能である。
【０１２２】
上述したように、ＰＩＮ１とＰＩＮ３のインピーダンス特性から新規格のケーブルが挿入されているかどうか判断できる。
【０１２３】
図２２は、シンク機器１２０の制御部１２３内の判別部１２４に設けられるケーブル検出回路３７０を示している。このケーブル検出回路３７０は、電圧コンパレータ３７１により構成される。１ピンは抵抗ＲＴを介して電圧Ｖccにプルアップされる。電圧コンパレータ３７０の正入力端子には、１ピンの電圧が入力される。また、この電圧コンパレータ３７１の負入力端子には、電圧が抵抗ＲＴおよびＲ１（＝２ＲＴ）で分圧されて得られた電圧が、リファレンス電圧Ｖref（＝２．２Ｖ）として入力される。なお、ＰＩＮ３は、接地される。
【０１２４】
図２３は、図８に示すＴＭＤＳ差動ペア模式図に、図２２のケーブル検出回路３７０を挿入した場合の回路例である。この図２３において、ケーブル検出を行う場合、スイッチＤ１：ＯＮ、スイッチＤ２：ＯＦＦ、スイッチＤ３：ＯＮ、スイッチＤ４：ＯＮとされる。逆に、スイッチＤ１：ＯＦＦ、スイッチＤ２：ＯＮ、スイッチＤ３：ＯＦＦ、スイッチＤ４：ＯＦＦとされると、図８と等価な回路に戻る。図２２において、新規格ケーブルが挿入された場合のみＶout＝Ｌ、それ以外の場合はＶout＝Ｈとなる。その理由を、以下、５つのケース別に示す。
【０１２５】
（１）ケーブル未挿入時
図２４は、ケーブル未挿入時に電圧コンパレータ３７１に入力する電圧を示している。ＰＩＮ１（TMDS Data2+）、ＰＩＮ３（TMDS Data2-）の間はハイインピーダンスなのでＶin=３．３Ｖとなり、Ｖout＝Ｈとなる。
（２）新規格ケーブル挿入時１
図２５は、ＰＩＮ１（TMDS Data2+）、ＰＩＮ３（TMDS Data2-）の間を抵抗器ＲＴ(５０Ω)でつないだ新規格ケーブルが挿入された場合を示している。Ｖin＝１．６５Ｖとなり、Ｖout＝Ｌとなる。
【０１２６】
（３）新規格ケーブル挿入時２
図２６は、ＰＩＮ１（TMDS Data2+）、ＰＩＮ３（TMDS Data2-）の間を導線でショートさせた新規格ケーブルが挿入された場合を示している。Ｖin＝０Ｖとなり、Ｖout＝Ｌとなる。
（４）ＨＤＭＩケーブル挿入時
図２７は、ＨＤＭＩケーブル挿入時（ＨＤＭＩソース機器はなし）に電圧コンパレータ３７１に入力する電圧を示している。ＰＩＮ１（TMDS Data2+）、ＰＩＮ３（TMDS Data2-）の間はハイインピーダンスなので、Ｖin＝３．３Ｖとなり、Ｖout＝Ｈとなる。
【０１２７】
（５）ＨＤＭＩケーブル ＋ ＨＤＭＩソース機器挿入時
図２８は、ＨＤＭＩケーブル挿入時（HDMI Source機器有り）に電圧コンパレータ３７１に入力する電圧を示している。ＰＩＮ１（TMDS Data2+）、ＰＩＮ３（TMDS Data2-）の間はハイインピーダンスなので、Ｖin＝３．３Ｖとなり、Ｖout＝Ｈとなる。
【０１２８】
以上、５つのケースにおけるケーブル検出回路３７０の動作を述べた。次に、ケーブル検出を行ってから、ＨＤＭＩモード、または新規格モードに切り換えるまでの処理を２つ述べる。ここで、このなかで述べる３つモード、すなわち「ケーブル検出モード」、「ＨＤＭＩモード」、「新規格モード」は以下のように定義される。
【０１２９】
「ケーブル検出モード」とは、新規機器１２０に電源が投入された直後の状態をいう。このモードの時だけ、図２２に示すケーブル検出回路３７０は有効である。また、ケーブル検出回路３７０に関係ない全ての信号線は、ソース機器に予期せぬダメージを与えないように、ハイインピーダンスにしなければならない。
【０１３０】
「ＨＤＭＩモード」とは、図２で示す信号構成で、かつシンク機器がHDMI Ver1.4で定義されたシンク機器の要件を満足する状態をいう。
「新規格モード」とは、一例として挙げた図５、図６で示す信号構成で、かつシンク機器が新規格で定義されたシンク機器の要件を満足する状態をいう。
【０１３１】
Ａ．「Type-Aレセプタクル内部メカスイッチで検出する方法」
図２９で示すように、Type-Aレセプタクル内部にスイッチＳ１を設け、Type-Aプラグ挿入の有無を判断できるようにする。Type-Aプラグが挿入されるとスイッチＳ1が接点Ｓ2と接触する構造にする。スイッチの接触、非接触状態は図中のケーブルセンサで選出する。
【０１３２】
図３０のフローチャートは、この検出方法を使った場合における、シンク機器１２０の制御部１２３の制御手順を示している。まず、制御部１２３は、ステップＳＴ１１において、パワーオンで処理を開始し、その後に、ステップＳＴ１２のケーブル検出モードに移る。そしｓて、制御部１２３は、ステップＳＴ１３において、ケーブルセンサ（図２９参照）が、ケーブルの挿入を検出したか否かを判断する。そして、ケーブルセンサがケーブルの挿入を検出したとき、制御部１２３は、ステップＳＴ１４の処理に移る。このステップＳＴ１４において、制御部１２３は、ケーブル検出回路３７０（図２２参照）の電圧コンパレータ３７１の出力Ｖoutが「Ｈ」であるか「Ｌ」であるかを判別する。
【０１３３】
Ｖout＝「Ｈ」であるとき、制御部１２３は、ステップＳＴ１５において、データ受信部１２２を、ＨＤＭＩ規格のデジタルインタフェースに合わせた動作モード（ＨＤＭＩモード）に制御する。また、Ｖout＝「Ｌ」新規格であるとき、制御部１２３は、ステップＳＴ１６において、データ受信部１２２を、新規格のデジタルインタフェースに合わせた動作モード（新規格モード）に制御する。制御部１２３は、ステップＳＴ１５あるいはステップＳＴ１６の処理の後、ステップＳＴ７において、ケーブルの引き抜きがあったか否かを判別し、ケーブルの引き抜きがない限り、データ受信部１２２の動作モードをそのまま維持する。一方、データの引き抜きがあったときは、直ちに、ステップＳＴ１２に戻る。
【０１３４】
Ｂ．「＋５Ｖピン(１８ピン)の電圧を監視して検出する方法」
＋５Ｖピン(１８ピン)の電圧を監視し、＋５Ｖの検出時、電圧コンパレータ出Ｖoutを見てＨＤＭＩモード、または新規格モードへの切り換えを行う。
【０１３５】
図３１のフローチャートは、この検出方法を使った場合における、シンク機器１２０の制御部１２３の制御手順を示している。まず、制御部１２３は、ステップＳＴ２１において、パワーオンで処理を開始し、その後に、ステップＳＴ２２のケーブル検出モードに移る。そして、制御部１２３は、ステップＳＴ２３において、＋５Ｖピン(１８ピン)の電圧が＋５Ｖであるか否かを判別する。そして、＋５Ｖピン(１８ピン)の電圧が＋５Ｖであるとき、制御部１２３は、ステップＳＴ２４の処理に移る。このステップＳＴ２４において、制御部１２３は、ケーブル検出回路３７０（図２２参照）の電圧コンパレータ３７１の出力Ｖoutが「Ｈ」であるか「Ｌ」であるかを判別する。
【０１３６】
Ｖout＝「Ｈ」であるとき、制御部１２３は、ステップＳＴ２５において、データ受信部１２２を、ＨＤＭＩ規格のデジタルインタフェースに合わせた動作モード（ＨＤＭＩモード）に制御する。また、Ｖout＝「Ｌ」新規格であるとき、制御部１２３は、ステップＳＴ２６において、データ受信部１２２を、新規格のデジタルインタフェースに合わせた動作モード（新規格モード）に制御する。
【０１３７】
制御部１２３は、ステップＳＴ２５あるいはステップＳＴ２６の処理の後、ステップＳＴ２７において、ケーブルの引き抜きがあったか否かを判別する。すなわち、＋５Ｖピン(１８ピン)の電圧が０Ｖであるときは、引き抜きがあったと判断する。ケーブルの引き抜きがない限り、データ受信部１２２の動作モードをそのまま維持する。一方、データの引き抜きがあったとき、制御部１２３は、直ちに、ステップＳＴ２２に戻る。
【０１３８】
図３２のフローチャートも、＋５Ｖピン(１８ピン)の電圧を監視して検出する方法を使った場合における、シンク機器１２０の制御部１２３の制御手順を示している。ただし、新規格が＋５Ｖピンを使用しない場合の処理である。＋５Ｖピンに＋５Ｖの印加中には、常にＨＤＭＩモードとする点が、上述の図３１のフローチャートの制御手順とは異なる。また、＋５Ｖピンに＋５Ｖが印加されていない場合、電圧コンパレータ出力Ｖoutを見て、ＨＤＭＩモードまたは新規格モードに遷移する。
【０１３９】
まず、制御部１２３は、ステップＳＴ３１において、パワーオンで処理を開始し、その後に、ステップＳＴ３２のケーブル検出モードに移る。そして、制御部１２３は、ステップＳＴ３３において、＋５Ｖピン(１８ピン)の電圧が＋５Ｖであるか否かを判別する。そして、＋５Ｖピン(１８ピン)の電圧が＋５Ｖであるとき、制御部１２３は、ステップＳＴ３４において、データ受信部１２２を、ＨＤＭＩ規格のデジタルインタフェースに合わせた動作モード（ＨＤＭＩモード）に制御する。
【０１４０】
次に、制御部１２３は、ステップＳＴ３５において、＋５Ｖピン(１８ピン)の電圧を判別する。＋５Ｖであるとき、制御部１２３は、データ受信部１２２の動作モード（ＨＤＭＩモード）をそのまま維持する。一方、０Ｖのとき、制御部１２３は、直ちに、ステップＳＴ３６で、ケーブル検出モードに移り、その後に、ステップＳＴ３７の処理に移る。
【０１４１】
ステップＳＴ３３で、＋５Ｖピン(１８ピン)の電圧が０Ｖであるときも、制御部１２３は、ステップＳＴ３７の処理に移る。このステップＳＴ３７で、制御部１２３は、ケーブル検出回路３７０（図２２参照）の電圧コンパレータ３７１の出力Ｖoutが「Ｈ」であるか「Ｌ」であるかを判別する。
【０１４２】
Ｖout＝「Ｈ」であるとき、制御部１２３は、ステップＳＴ３８において、データ受信部１２２を、ＨＤＭＩ規格のデジタルインタフェースに合わせた動作モード（ＨＤＭＩモード）に制御する。また、Ｖout＝「Ｌ」新規格であるとき、制御部１２３は、ステップＳＴ３９において、データ受信部１２２を、新規格のデジタルインタフェースに合わせた動作モード（新規格モード）に制御する。
【０１４３】
制御部１２３は、ステップＳＴ３８あるいはステップＳＴ３９の処理の後、ステップＳＴ４０において、＋５Ｖピン(１８ピン)の電圧を判別する。０Ｖであるとき、制御部１２３は、データ受信部１２２の動作モード（ＨＤＭＩモードまたは新規格モード）をそのまま維持する。一方、＋５Ｖのとき、制御部１２３は、直ちに、ステップＳＴ３２に戻る。
【０１４４】
［第７の構成例］
この構成例では、ソース機器１１０のデータ送信部１１２がＨＤＭＩ規格のデジタルインタフェースで動作する場合に使用され、また、ソース機器１１０の送信部１１２が新規格（図５参照）のデジタルインタフェースで動作する場合に使用されない一対のピン、例えばＰＩＮ１５（ＳＣＬ用のピン）およびＰＩＮ１６（ＳＤＡ用のピン）に着目する。
【０１４５】
図３３は、新規格に基づく、ケーブル線配置図を示している。図３４は、新規格ケーブルのケーブル線配置図を示している。この新規格ケーブルのシンク機器側のHDMI Type-Ａプラグ内部で、ＰＩＮ１５（１５ピン）とＰＩＮ１６（１６ピン）を導線で短絡（ショート）させるか、または、ＰＩＮ１５とＰＩＮ１６を抵抗Ｒでつなぐ。
【０１４６】
図３５は、シンク機器１２０の制御部１２３内の判別部１２４の概略構成を示している。この判別部１２４は、電圧検出器３８１を有している。この電圧検出器３８１の入力側にＰＩＮ１８（１８ピン）が接続される。ＰＩＮ１８は、ＨＤＭＩのソース機器が接続されるとき、電源ライン（+5VPower Line）が接続される電源ピンである。電圧検出器３８１は、ＰＩＮ１８の電圧状態を検出する。すなわち、電圧検出器３８１は、ＰＩＮ１８の電圧状態が電源の電圧であるか否かを検出し、その検出結果out1を出力する。
【０１４７】
また、判別部１２４は、ＰＩＮ１５（１５ピン）を、抵抗Ｒを介して、電源電圧Ｖccにプルアップする。また、判別部１２４は、電流検出器３８２を有している。この電流検出器３８２の入力側にＰＩＮ１６（１６ピン）が接続される。この電流検出器３８２は、ＰＩＮ１６の電流状態を検出する。すなわち、電流検出器３８２は、ＰＩＮ１６を通じて電流が流れているか否かを検出し、その検出結果out2を出力する。
【０１４８】
上述した判別部１２４内の電圧検出器３８１および電流検出器３８２の検出動作を、以下の６つのケースについて考察する。
（１）ケーブル未接続の場合
（２）ＨＤＭＩケーブルが接続された場合
（３）ＨＤＭＩケーブル＋ＨＤＭＩソース機器（電源オフ）が接続された場合
（４）ＨＤＭＩケーブル＋ＨＤＭＩソース機器(電源オン)が接続された場合
（５）新規格ケーブルが接続された場合
（６）新規格ケーブル＋新規格ソース機器(電源オン/オフ両方)が接続された場合
【０１４９】
「（１）ケーブル未接続の場合」
ソース側からＰＩＮ１８（１８ピン）に電源が供給されないので、電圧検出器３８１では、ＰＩＮ１８の電圧状態は、電源の電圧でないと検出される。また、ＰＩＮ１５とＰＩＮ１６の間はハイインピーダンス状態にあるので、ＰＩＮ１６を通じて電流が流れることはく、電流検出器３８２では電流が流れていないと検出される。
【０１５０】
「（２）ＨＤＭＩケーブルが接続された場合」
ソース側からＰＩＮ１８（１８ピン）に電源が供給されないので、電圧検出器３８１では、ＰＩＮ１８の電圧状態は、電源の電圧でないと検出される。また、ＨＤＭＩケーブル内のＳＣＬラインとＳＤＡラインは未接続である。そのため、この場合もＰＩＮ１５とＰＩＮ１６の間はハイインピーダンス状態にある。そのため、ＰＩＮ１６を通じて電流が流れることはなく、電流検出器３８２では電流が流れていないと検出される。
【０１５１】
「（３）ＨＤＭＩケーブル＋ＨＤＭＩソース機器（電源オフ）が接続された場合」
ＨＤＭＩソース機器の電源はオフとされているので、ソース側からＰＩＮ１８（１８ピン）に電源が供給されない。そのため、電圧検出器３８１では、ＰＩＮ１８の電圧状態は、電源の電圧でないと検出される。また、ＨＤＭＩソース機器側のＳＣＬ−ＳＤＡ間は、電気的なダメージを回避するためにハイインピーダンス状態にある。そのため、ＰＩＮ１６を通じて電流が流れることはなく、電流検出器３８２では電流が流れていないと検出される。
【０１５２】
「（４）ＨＤＭＩケーブル＋ＨＤＭＩソース機器(電源オン)が接続された場合」
ＨＤＭＩソース機器の電源はオンとされているので、ソース側からＰＩＮ１８（１８ピン）に電源が供給される。そのため、電圧検出器３８１では、ＰＩＮ１８の電圧状態は、電源の電圧であると検出される。また、ＨＤＭＩソース機器側のＳＣＬ−ＳＤＡ間は、電気的なダメージを回避するためにハイインピーダンス状態にある。そのため、ＰＩＮ１６を通じて電流が流れることはなく、電流検出器３８２では電流が流れていないと検出される。
【０１５３】
「（５）新規格ケーブルが接続された場合」
ソース側からＰＩＮ１８（１８ピン）に電源が供給されないので、電圧検出器３８１では、ＰＩＮ１８の電圧状態は、電源の電圧でないと検出される。新規格ケーブルのシンク側HDMI Type-Ａプラグ内部で、ＰＩＮ１５とＰＩＮ１６とが導線で短絡（ショート）され、あるいは、抵抗Ｒを介して接続されている。そのため、ＰＩＮ１６を通じて電流が流れ、電流検出器３８２では電流が流れていると検出される。
【０１５４】
「（６）新規格ケーブル＋新規格ソース機器(電源オン/オフ両方)が接続された場合」
ソース側からＰＩＮ１８（１８ピン）に電源が供給されないので、電圧検出器３８１では、ＰＩＮ１８の電圧状態は、電源の電圧でないと検出される。新規格ケーブルのシンク側HDMI Type-Ａプラグ内部で、ＰＩＮ１５とＰＩＮ１６とが導線で短絡され、あるいは、抵抗Ｒを介して接続されている。そのため、ＰＩＮ１６を通じて電流が流れ、電流検出器３８２では電流が流れていると検出される。
【０１５５】
以上の考察から、この第７の構成例では、電圧検出器３８１および電流検出器３８２により、ケーブル検出を行う。図３６のフローチャートは、この検出方法を使った場合における、シンク機器１２０の制御部１２３の制御手順を示している。
【０１５６】
まず、制御部１２３は、ステップＳＴ５１において、パワーオンで処理を開始し、その後に、ステップＳＴ５２のケーブル検出モードに移る。このケーブル検出モードでは、制御部１２３は、電圧検出器３８１および電流検出器３８２の検出結果をポーリングする。そして、制御部１２３は、ステップＳＴ５３において、電圧検出器３８１で電源電圧であることが検出されているか否か、つまり＋５Ｖピン(１８ピン)の電圧が＋５Ｖ（電源電圧）であるか否かを判別する。
【０１５７】
電源電圧が検出されているとき、制御部１２３は、上述の「（４）ＨＤＭＩケーブル＋ＨＤＭＩソース機器(電源オン)が接続された場合」に相当するとして、ステップＳＴ５４において、データ受信部１２２を、ＨＤＭＩ規格のデジタルインタフェースに合わせた動作モード（ＨＤＭＩモード）に制御する。そして、制御部１２３はステップＳＴ５５において、電圧検出器３８１の電圧検出状態を監視し、電源電圧を検出している間は、データ受信部１２２の動作モード（ＨＤＭＩモード）をそのまま維持する。一方、電圧検出器３８１で電源電圧が検出されなくなるとき、制御部１２３は、直ちに、ステップＳＴ５２のケーブル検出モードに戻る。
【０１５８】
また、ステップＳＴ５３で、電圧検出器３８１で電源電圧が検出されていないとき、ステップＳＴ５６において、電流検出器３８２で電流が検出されているか否かを判別する。電流が検出されていないとき、制御部１２３は、上述の「（１）ケーブル未接続の場合、（２）ＨＤＭＩケーブルが接続された場合、（３）ＨＤＭＩケーブル＋ＨＤＭＩソース機器（電源オフ）が接続された場合」に相当するとして、ステップＳＴ５３，ＳＴ５６のポーリング処理を繰り返す。
【０１５９】
また、ステップＳＴ５６において電流検出器３８２で電流が検出されているとき、制御部１２３は、上述の「（５）新規格ケーブルが接続された場合、（６）新規格ケーブル＋新規格ソース機器(電源オン/オフ両方)が接続された場合」に相当するとして、制御部１２３は、ステップＳＴ５７において、データ受信部１２２を、新規格のデジタルインタフェースに合わせた動作モード（新規格モード）に制御する。
【０１６０】
そして、制御部１２３はステップＳＴ５８において、電流検出器３８２の電流検出状態を監視し、電流を検出している間は、データ受信部１２２の動作モード（新規格モード）をそのまま維持する。一方、電流検出器３８２で電流が検出されなくなるとき、制御部１２３は、直ちに、ステップＳＴ５２のケーブル検出モードに戻る。
【０１６１】
なお、制御部１２３は、ステップＳＴ５７において、データ受信部１２２を新規格モードに制御する際、図３５に示す接続スイッチ３８３にスイッチ制御信号Ｃswを供給して、オン状態とする。これにより、電源Ｖccを、ソース機器側に供給できる。
【０１６２】
上述の第７の構成例においては、デジタルインタフェースが新規格のデジタルインタフェースであるソース機器がバッテリ駆動の電子機器であって、このバッテリが完全に上がっている場合にあっても、このソース機器のデジタルインタフェースが新規格のデジタルインタフェースであることを判別できる。そのため、上述したデータ受信部１２２を新規格モードに制御でき、また、ソース機器に電源を供給して、充電することが可能となる。
【０１６３】
なお、上述の第７の構成例においては、ソース機器１１０のデータ送信部１１２がＨＤＭＩ規格のデジタルインタフェースで動作する場合に使用され、また、ソース機器１１０の送信部１１２が新規格（図５参照）のデジタルインタフェースで動作する場合に使用されない一対のピンとして、ＰＩＮ１５（ＳＣＬ用のピン）およびＰＩＮ１６（ＳＤＡ用のピン）に着目した。しかし、詳細説明は省略するが、その他の一対のピンを用いて同様に構成することも可能である。
【０１６４】
また、上述の第７の構成例においては、ＰＩＮ１６の電流状態を検出する電流検出器３８２を有する構成を示している。しかし、ＰＩＮ１６の電流状態ではなく電圧状態を検出する構成とすることも考えられる。
【０１６５】
［第８の構成例］
この構成例も、上述の第７の構成例と同様に、一対のピン、例えばＰＩＮ１５（ＳＣＬ用のピン）およびＰＩＮ１６（ＳＤＡ用のピン）に着目する。この一対のピンは、ソース機器１１０のデータ送信部１１２がＨＤＭＩ規格のデジタルインタフェースで動作する場合には使用され、また、ソース機器１１０の送信部１１２が新規格（図５参照）のデジタルインタフェースで動作する場合には使用されない。
【０１６６】
図３７は、新規格ケーブルのケーブル線配置図を示している。この新規格ケーブルのシンク機器側のHDMI Type-Ａプラグ内部で、ＰＩＮ１６（１６ピン）とＰＩＮ１５（１５ピン）は、ダイオードＤ１を通じて接続される。この場合、ダイオードＤ１のアノードはＰＩＮ１５に接続され、そのカソードはＰＩＮ１６に接続され、ＰＩＮ１５からＰＩＮ１６に一方向に信号（電流）が流れるようにされる。なお、ダイオードＤ１の代わりに、同様の機能を有する他の電子素子を使用してもよい。
【０１６７】
図３８は、シンク機器１２０における制御部１２３内の判別部１２４の概略構成を示している。この判別部１２４は、電圧検出器３８１を有している。この電圧検出器３８１の入力側にＰＩＮ１８（１８ピン）が接続される。ＰＩＮ１８は、ＨＤＭＩのソース機器が接続されるとき、電源ライン（+5VPower Line）が接続される電源ピンである。電圧検出器３８１は、ＰＩＮ１８の電圧状態を検出する。すなわち、電圧検出器３８１は、ＰＩＮ１８の電圧状態が電源の電圧であるか否かを検出し、その検出結果out1を出力する。
【０１６８】
また、判別部１２４は、抵抗（抵抗素子）４０１と、電界効果トランジスタ４０２と、パルス発生器４０３と、パルス検出器４０４と、抵抗（抵抗素子）４０５と、電界効果トランジスタ４０６と、パルス発生器４０７と、パルス検出器４０８を有している。ここで、抵抗４０１は第１の抵抗素子を構成し、抵抗素子４０５は第２の抵抗素子を構成している。また、電界効果トランジスタ４０２は第１のスイッチング素子を構成し、電界効果トランジスタ４０６は第２のスイッチング素子を構成している。
【０１６９】
抵抗素子４０１、電界効果トランジスタ４０２およびパルス発生器４０３は、第１の信号供給部を構成している。また、抵抗素子４０５、電界効果トランジスタ４０６およびパルス発生器４０７は、第２の信号供給部を構成している。また、パルス検出器４０８は第１の信号検出部を構成し、パルス検出器４０４は第２の信号検出部を構成している。
【０１７０】
抵抗素子４０１は、ＰＩＮ１５（１５ピン）を、所定電圧、ここでは電源電圧＋Ｖddが供給される電源端子に接続する。すなわち、抵抗素子４０１は、ＰＩＮ１５を、電源電圧＋Ｖddにプルアップする。また、電界効果トランジスタ４０２のドレインはＰＩＮ１５に接続され、そのソースは接地される。パルス発生器４０３は、スイッチング素子としての電界効果トランジスタ４０２を駆動するパルス信号を発生する。すなわち、パルス発生器４０３で発生されるパルス信号は、電界効果トランジスタ４０２のゲートに供給される。
【０１７１】
電界効果トランジスタ４０２は、パルス発生器４０３からのパルス信号に基づいて、オン（導通）、オフ（非道通）が交互に繰り返される。すなわち、パルス信号のハイレベル期間では、電界効果トランジスタ４０２はオン（導通）となり、ＰＩＮ１５の電位は接地電位（０Ｖ）となる。一方、パルス信号のローレベル期間では、電界効果トランジスタ４０２はオフ（非道通）となり、ＰＩＮ１５の電位は電源電圧＋Ｖddとなる。このように、パルス発生器４０３から電界効果トランジスタ４０２にパルス信号が供給されるとき、ＰＩＮ１５には、ハイレベルＨが「＋Ｖdd」で、ローレベルＬが「０Ｖ」であるパルス信号が供給される。
【０１７２】
抵抗素子４０５は、ＰＩＮ１６（１６ピン）を、所定電圧、ここでは電源電圧＋Ｖddが供給される電源端子に接続する。すなわち、抵抗素子４０５は、ＰＩＮ１６を、電源電圧＋Ｖddにプルアップする。また、電界効果トランジスタ４０６のドレインはＰＩＮ１６に接続され、そのソースは接地される。パルス発生器４０７は、スイッチング素子としての電界効果トランジスタ４０６を駆動するパルス信号を発生する。すなわち、パルス発生器４０７で発生されるパルス信号は、電界効果トランジスタ４０６のゲートに供給される。
【０１７３】
電界効果トランジスタ４０６は、パルス発生器４０７からのパルス信号に基づいて、オン（導通）、オフ（非道通）が交互に繰り返される。すなわち、パルス信号のハイレベル期間では、電界効果トランジスタ４０６はオン（導通）となり、ＰＩＮ１６の電位は接地電位（０Ｖ）となる。一方、パルス信号のローレベル期間では、電界効果トランジスタ４０６はオフ（非道通）となり、ＰＩＮ１６の電位は電源電圧＋Ｖddとなる。このように、パルス発生器４０７から電界効果トランジスタ４０６にパルス信号が供給されるとき、ＰＩＮ１６には、ハイレベルＨが「＋Ｖdd」で、ローレベルＬが「０Ｖ」であるパルス信号が供給される。
【０１７４】
パルス検出器４０４は、上述したようにＰＩＮ１６に、ハイレベルＨが「＋Ｖdd」で、ローレベルＬが「０Ｖ」であるパルス信号が供給される期間に、ＰＩＮ１５に得られる信号を検出し、その検出結果out2を出力する。また、パルス検出器４０８は、上述したようにＰＩＮ１５に、ハイレベルＨが「＋Ｖdd」で、ローレベルＬが「０Ｖ」であるパルス信号が供給される期間に、ＰＩＮ１６に得られる信号を検出し、その検出結果out3を出力する。
【０１７５】
判別部１２４は、以下の検出手順Ａ，Ｂで得られる検出結果out2および検出結果out3の組み合わせに基づいて、新規格ケーブルが接続されたケースを抽出する。まず、検出手順Ａ，Ｂについて説明する。
【０１７６】
「検出手順Ａ」
パルス発生器４０３からパルス信号を電界効果トランジスタ４０２のゲートに供給し、ＰＩＮ１５に、ハイレベルＨが「＋Ｖdd」で、ローレベルＬが「０Ｖ」であるパルス信号が供給される状態とする。この状態で、パルス検出器４０８でＰＩＮ１６に得られる信号を検出し、検出結果out3を出力する。この場合、パルス検出器４０８が出力する検出結果out3は、以下のようになる。
【０１７７】
パルス検出器４０８は、全くパルス信号を検出しなかった場合、つまり、ＰＩＮ１６の電圧が電源電圧＋Ｖddのまま変化しない場合、検出結果out3として「Ｎ(No)」を出力する。また、パルス検出器４０８は、完全なパルス信号を検出した場合、つまり、ハイレベルＨが「＋Ｖdd」で、ローレベルＬが「０Ｖ」であるパルス信号を検出した場合、検出結果out3として「Ｙ(Yes)」を出力する。さらに、パルス検出器４０８は、不完全なパルス信号を検出した場合、つまりローレベルＬが、０Ｖ＜L＜＋Ｖddであるパルス信号を検出した場合、検出結果out3として「Ｍ(Medium)」を出力する。
【０１７８】
「検出手順Ｂ」
パルス発生器４０７からパルス信号を電界効果トランジスタ４０６のゲートに供給し、ＰＩＮ１６に、ハイレベルＨが「＋Ｖdd」で、ローレベルＬが「０Ｖ」であるパルス信号が供給される状態とする。この状態で、パルス検出器４０４でＰＩＮ１５に得られる信号を検出し、検出結果out2を出力する。この場合、パルス検出器４０４が出力する検出結果out2は、以下のようになる。
【０１７９】
パルス検出器４０４は、全くパルス信号を検出しなかった場合、つまり、ＰＩＮ１５の電圧が電源電圧＋Ｖddのまま変化しない場合、検出結果out2として「Ｎ(No)」を出力する。また、パルス検出器４０４は、完全なパルス信号を検出した場合、つまり、ハイレベルＨが「＋Ｖdd」で、ローレベルＬが「０Ｖ」であるパルス信号を検出した場合、検出結果out2として「Ｙ(Yes)」を出力する。さらに、パルス検出器４０４は、不完全なパルス信号を検出した場合、つまりローレベルＬが、０Ｖ＜L＜＋Ｖddであるパルス信号を検出した場合、検出結果out2として「Ｍ(Medium)」を出力する。
【０１８０】
上述した検出手順Ａ，Ｂにおける検出結果out2および検出結果out3を、以下の５つのケースについて考察する。
（１）ケーブル未接続の場合
（２）新規格ケーブルが接続された場合
（３）新規格ケーブル＋新規格ソース機器(電源オン/オフ両方)が接続された場合
（４）ＨＤＭＩケーブルが接続された場合（ソース機器なし）
（５）ＨＤＭＩケーブル＋ＨＤＭＩソース機器(電源オン／オフ)が接続された場合
【０１８１】
「（１）ケーブル未接続の場合」
この場合、図３９に示すように、ＰＩＮ１５（ＳＣＬ）とＰＩＮ１６（ＳＤＡ）との間は、未接続（ハイインピーダンス）である。そのため、検出手順Ａを実行した場合、ＰＩＮ１６の電圧は電源電圧＋Ｖddのまま変化せず、パルス検出器４０８は、全くパルス信号を検出しない。そのため、パルス検出器４０８は、検出結果out3として「Ｎ(No)」を出力する。また、検出手順Ｂを実行した場合、ＰＩＮ１５の電圧は電源電圧＋Ｖddのまま変化せず、パルス検出器４０４は、全くパルス信号を検出しない。そのため、パルス検出器４０４は、検出結果out2として「Ｎ(No)」を出力する。
【０１８２】
「（２）新規格ケーブルが接続された場合」
この場合、図４０に示すように、ＰＩＮ１５（ＳＣＬ）とＰＩＮ１６（ＳＤＡ）との間は、ダイオードＤ１で接続されている。この場合、ＰＩＮ１５（ＳＣＬ）からＰＩＮ１６（ＳＤＡ）の方向がローインピーダンス、逆に、ＰＩＮ１６（ＳＤＡ）からＰＩＮ１５（ＳＣＬ）の方向がハイインピーダンスとなる。
【０１８３】
そのため、検出手順Ａを実行した場合、ＰＩＮ１６には、ハイレベルＨが「＋Ｖdd」で、ローレベルＬが「０Ｖ」である完全なパルス信号が得られる。したがって、パルス検出器４０８は、完全なパルス信号を検出し、検出結果out3として「Ｙ(Yes)」を出力する。また、検出手順Ｂを実行した場合、ＰＩＮ１５の電圧は電源電圧＋Ｖddのまま変化せず、パルス検出器４０４は、全くパルス信号を検出しない。そのため、パルス検出器４０４は、検出結果out2として「Ｎ(No)」を出力する。
【０１８４】
「（３）新規格ケーブル＋新規格ソース機器が接続された場合」
この場合、図４１に示すように、ＰＩＮ１５（ＳＣＬ）とＰＩＮ１６（ＳＤＡ）との間は、ダイオードＤ１で接続されている。そのため、検出手順Ａを実行した場合の検出結果out3と、検出手順Ｂを実行した場合の検出結果out2は、上述した「（２）新規格ケーブルが接続された場合」と同じである。すなわち、検出手順Ａを実行した場合、パルス検出器４０８は、検出結果out3として「Ｙ(Yes)」を出力する。また、検出手順Ｂを実行した場合、パルス検出器４０４は、検出結果out2として「Ｎ(No)」を出力する。
【０１８５】
「（４）ＨＤＭＩケーブルが接続された場合」
この場合、図４２に示すように、ＰＩＮ１５（ＳＣＬ）とＰＩＮ１６（ＳＤＡ）との間は、未接続（ハイインピーダンス）である。そのため、検出手順Ａを実行した場合の検出結果out3と、検出手順Ｂを実行した場合の検出結果out2は、上述した「（１）ケーブル未接続の場合」と同じである。検出手順Ａを実行した場合、パルス検出器４０８は、検出結果out3として「Ｎ(No)」を出力する。また、検出手順Ｂを実行した場合、パルス検出器４０４は、検出結果out2として「Ｎ(No)」を出力する。
【０１８６】
「（５）ＨＤＭＩケーブル＋ＨＤＭＩソース機器が接続された場合」
図４３は、この場合の接続状態を示している。この場合、ＰＩＮ１５（ＳＣＬ）とＰＩＮ１６（ＳＤＡ）との間のインピーダンスは、ＨＤＭＩソース機器側の状態により、以下の（5-1）〜（5-3）のいずれかである。
（5-1）：ハイインピーダンス
（5-2）：ローインピーダンス
（5-3）：ハイインピーダンスとローインピーダンスの中間
【０１８７】
ただし、ＰＩＮ１５（ＳＣＬ）からＰＩＮ１６（ＳＤＡ）の方向と、ＰＩＮ１６（ＳＤＡ）からＰＩＮ１５（ＳＣＬ）の方向とで、同じインピーダンス値を示すはずである。したがって、（5-1）の場合は、検出手順Ａを実行した場合、パルス検出器４０８は、検出結果out3として「Ｎ(No)」を出力する。また、検出手順Ｂを実行した場合、パルス検出器４０４は、検出結果out2として「Ｎ(No)」を出力する。
【０１８８】
また、（5-2）の場合は、検出手順Ａを実行した場合、パルス検出器４０８は、検出結果out3として「Ｙ(Yes)」を出力する。また、検出手順Ｂを実行した場合、パルス検出器４０４は、検出結果out2として「Ｙ(Yes)」を出力する。さらに、（5-3）の場合は、検出手順Ａを実行した場合、パルス検出器４０８は、検出結果out3として「Ｍ(Medium)」を出力する。また、検出手順Ｂを実行した場合、パルス検出器４０４は、検出結果out2として「Ｍ(Medium)」を出力する。
【０１８９】
図４４は、上述の（１）〜（５）の各場合における検出手順Ａ、検出手順Ｂにおける検出結果out3,out2をまとめて示している。この図から明らかなように、「（２）新規格ケーブルが接続された場合」および「（３）新規格ケーブル＋新規格ソース機器が接続された場合」、検出手順Ａの検出結果out3と検出手順Ｂの検出結果out2が正反対となる。これらは、新規格ケーブルを使用したケースであり、インピーダンスにおいて極端な異方性（SCL→SDA方向がローインピーダンス、SDA→SCL方向がハイインピーダンス）を持つからである。なお、その他の場合は、インピーダンスにおいて等方性を持つため、検出手順Ａの検出結果out3と検出手順Ｂの検出結果out2が一致する。
【０１９０】
以上の結果から、検出手順Ａの検出結果out3がＹ(完全なパルスを検出)、かつ検出手順Ｂの検出結果out2がＮ（全くパルスを検出しなかった）の場合のときだけ、図３７に示す新規格ケーブルが接続されていると判断できる。図４５のフローチャートは、この検出方法を使った場合における、シンク機器１２０の制御部１２３の制御手順を示している。
【０１９１】
まず、制御部１２３は、ステップＳＴ７１において、パワーオンで処理を開始し、その後に、ステップＳＴ７２のケーブル検出モードに移る。このケーブル検出モードは、図３８に示すケーブル検出回路を有効とし、その他のピンは無効とするモードである。次に、制御部１２３は、ステップＳＴ７３において、検出手順Ａを実行し、パルス検出器４０８から出力される検出結果out3を取得する。次に、制御部１２３は、ステップＳＴ７４において、検出手順Ｂを実行し、パルス検出器４０４から出力される検出結果out2を取得する。
【０１９２】
次に、制御部１２３は、ステップＳＴ７５において、「検出手順Ａの検出結果out3が「Ｙ(Yes)」、かつ検出手順Ｂの検出結果out2が「Ｎ(No)」」という条件を満たすか否かを判断する。この条件を満たすとき、制御部１２３は、ステップＳＴ７６の処理に移る。このステップＳＴ７６において、制御部１２３は、データ受信部１２２を、新規格のデジタルインタフェースに合わせた動作モード（新規格モード）に制御する。
【０１９３】
次に、制御部１２３は、ステップＳＴ７７において、検出手順Ａを実行し、パルス検出器４０８から出力される検出結果out3を取得する。また、制御部１２３は、ステップＳＴ７８において、検出手順Ｂを実行し、パルス検出器４０４から出力される検出結果out2を取得する。そして、制御部１２３は、ステップＳＴ７９において、「検出手順Ａの検出結果out3が「Ｙ(Yes)」、かつ検出手順Ｂの検出結果out2が「Ｎ(No)」」という条件を満たすか否かを判断する。
【０１９４】
条件を満たすとき、制御部１２３は、データ受信部１２２の動作モード（新規格モード）をそのまま維持する。一方、この条件を満たさなくなるとき、制御部１２３は、新規格ケーブルが抜かれたと判断し、ステップＳＴ７２のケーブル検出モードに戻る。
【０１９５】
また、ステップＳＴ７５で条件を満たさないとき、ステップＳＴ８０の処理に移る。このステップＳＴ８０において、制御部１２３は、電圧検出器３８１で電源電圧であることが検出されているか否か、つまり＋５Ｖピン(１８ピン)の電圧が＋５Ｖ（電源電圧）であるか否かを判別する。電圧検出器３８１で電源電圧が検出されていないとき、制御部１２３は、ステップＳＴ７３に戻り、検出手順Ａ、検出手順Ｂの処理を繰り返す。
【０１９６】
電源電圧が検出されているとき、制御部１２３は、ステップＳＴ８１において、データ受信部１２２を、ＨＤＭＩ規格のデジタルインタフェースに合わせた動作モード（ＨＤＭＩモード）に制御する。そして、制御部１２３はステップＳＴ８２において、電圧検出器３８１の電圧検出状態を監視し、電源電圧を検出している間は、データ受信部１２２の動作モード（ＨＤＭＩモード）をそのまま維持する。ＨＤＭＩモード中、ＳＤＡライン、ＳＣＬラインは、ＥＤＩＤ読出しや、ＨＤＣＰ認証など、ＨＤＭＩ本来の用途に使用されるため、検出手順Ａ、Ｂは実行しない。電圧検出器３８１で電源電圧が検出されなくなるとき、制御部１２３は、直ちに、ステップＳＴ７２のケーブル検出モードに戻る。
【０１９７】
なお、制御部１２３は、ステップＳＴ７６において、データ受信部１２２を新規格モードに制御する際、図３８に示す接続スイッチ３８３にスイッチ制御信号Ｃswを供給して、オン状態とする。これにより、電源Ｖccを、ソース機器側に供給できる。
【０１９８】
上述の第８の構成例においては、デジタルインタフェースが新規格のデジタルインタフェースであるソース機器がバッテリ駆動の電子機器であって、このバッテリが完全に上がっている場合にあっても、このソース機器のデジタルインタフェースが新規格のデジタルインタフェースであることを判別できる。そのため、上述したデータ受信部１２２を新規格モードに制御でき、また、ソース機器に電源を供給して、充電することが可能となる。
【０１９９】
なお、上述の第８の構成例においては、ソース機器１１０のデータ送信部１１２がＨＤＭＩ規格のデジタルインタフェースで動作する場合に使用され、また、ソース機器１１０の送信部１１２が新規格（図５参照）のデジタルインタフェースで動作する場合に使用されない一対のピンとして、ＰＩＮ１５（ＳＣＬ用のピン）およびＰＩＮ１６（ＳＤＡ用のピン）に着目した。しかし、詳細説明は省略するが、その他の一対のピンを用いて同様に構成することも可能である。
【０２００】
また、上述の第８の構成例においては、検出手順Ａでは電界効果トランジスタ４０２をパルス信号で駆動し、検出手順Ｂでは電界効果トランジスタ４０６をパルス信号で駆動している。しかし、これらの検出手順Ａ，Ｂで、電界効果トランジスタ４０２，４０６をオフからオンの状態に変化させて、パルス検出器４０８，４０４で、電圧レベルの変化を検出して、検出結果out3，out2を取得する構成も考えられる。この場合には、パルス発生器４０３，４０７は不要となる。
【０２０１】
＜２．変形例＞
なお、上述実施の形態においては、ＨＤＭＩ規格、新規規格のデジタルインタフェースで動作する外部機器を接続するためのコネクタ部としてＨＤＭＩレセプタクルを兼用する例を示した。しかし、この発明はこれに限定されるものではなく、その他の同様のデジタルインタフェース部に適用できることは勿論である。３つ以上の規格のデジタルインタフェースで動作する外部機器を接続するためのコネクタ部として１つの規格のコネクタ部を兼用することも同様に考えられる。
【産業上の利用可能性】
【０２０２】
この発明は、例えば、ソース機器およびシンク機器をデジタルインタフェースを介して接続してなるＡＶシステム等に適用できる。
【符号の説明】
【０２０３】
１００・・・ＡＶシステム
１１０・・・ソース機器
１１１・・・コネクタ部
１１２・・・データ送信部
１１３・・・制御部
１１４・・・判別部
１２０・・・シンク機器
１２１・・・コネクタ部
１２２・・・データ受信部
１２３・・・制御部
１２４・・・判別部
２００・・・ケーブル
３１０，３２０・・・アクティブ範囲検出回路
３３１，３３２，３４１，３５１，３５２，３６１〜３６４・・・電圧コンパレータ
３７０・・・ケーブル検出回路
３７１・・・電圧コンパレータ
３８１・・・電圧検出器
３８２・・・電流検出器
３８３・・・接続スイッチ
４０１，４０５・・・抵抗（抵抗素子）
４０２，４０６・・・電界効果トランジスタ
４０３，４０７・・・パルス発生器
４０４，４０８・・・パルス検出器
【図１】
0005515919.tif 000002
【図２】
0005515919.tif 000003
【図３】
0005515919.tif 000004
【図４】
0005515919.tif 000005
【図５】
0005515919.tif 000006
【図６】
0005515919.tif 000007
【図７】
0005515919.tif 000008
【図８】
0005515919.tif 000009
【図９】
0005515919.tif 000010
【図１０】
0005515919.tif 000011
【図１１】
0005515919.tif 000012
【図１２】
0005515919.tif 000013
【図１３】
0005515919.tif 000014
【図１４】
0005515919.tif 000015
【図１５】
0005515919.tif 000016
【図１６】
0005515919.tif 000017
【図１７】
0005515919.tif 000018
【図１８】
0005515919.tif 000019
【図１９】
0005515919.tif 000020
【図２０】
0005515919.tif 000021
【図２１】
0005515919.tif 000022
【図２２】
0005515919.tif 000023
【図２３】
0005515919.tif 000024
【図２４】
0005515919.tif 000025
【図２５】
0005515919.tif 000026
【図２６】
0005515919.tif 000027
【図２７】
0005515919.tif 000028
【図２８】
0005515919.tif 000029
【図２９】
0005515919.tif 000030
【図３０】
0005515919.tif 000031
【図３１】
0005515919.tif 000032
【図３２】
0005515919.tif 000033
【図３３】
0005515919.tif 000034
【図３４】
0005515919.tif 000035
【図３５】
0005515919.tif 000036
【図３６】
0005515919.tif 000037
【図３７】
0005515919.tif 000038
【図３８】
0005515919.tif 000039
【図３９】
0005515919.tif 000040
【図４０】
0005515919.tif 000041
【図４１】
0005515919.tif 000042
【図４２】
0005515919.tif 000043
【図４３】
0005515919.tif 000044
【図４４】
0005515919.tif 000045
【図４５】
0005515919.tif 000046